(57)【要約】      （修正有）【課題】ＰＵＣＣＨの送信電力を決定する端末装置を提供する。【解決手段】第１のＲＲＣシグナリングを受信する受信部と、ＰＵＣＣＨの送信電力を決定する制御部と、上りリンク制御情報をＰＵＣＣＨで送信する送信部と、を備える。第１のＲＲＣシグナリングは、ＰＵＣＣＨに周波数ホッピングが適用されるか否かを示す情報を含む。ＰＵＣＣＨの送信電力は、パラメータΔｘに少なくとも基づき与えられ、パラメータΔｘは、ＰＵＣＣＨに周波数ホッピングが適用されるか否かに少なくとも基づき与えられる。【選択図】図１５
2019062442.tif 000002
【特許請求の範囲】
【請求項１】
第１のＲＲＣシグナリングを受信する受信部と、
ＰＵＣＣＨの送信電力を決定する制御部と、
上りリンク制御情報を前記ＰＵＣＣＨで送信する送信部と、を備え、
前記第１のＲＲＣシグナリングは、前記ＰＵＣＣＨに周波数ホッピングが適用されるか否かを示す情報を含み、
前記ＰＵＣＣＨの前記送信電力は、パラメータΔｘに少なくとも基づき与えられ、
前記パラメータΔｘは、前記ＰＵＣＣＨに周波数ホッピングが適用されるか否かに少なくとも基づき与えられる端末装置。
【請求項２】
前記パラメータΔｘは、さらに、前記ＰＵＣＣＨのＰＵＣＣＨフォーマットＦに少なくとも基づいて与えられ、
前記ＰＵＣＣＨフォーマットＦは、２ビット以下の前記上りリンク制御情報を送信するために用いられる第１のＰＵＣＣＨフォーマットと、３ビット以上の前記上りリンク制御情報を送信するために用いられる第２のＰＵＣＣＨフォーマットとを少なくとも含む請求項１に記載の端末装置。
【請求項３】
前記ＰＵＣＣＨに周波数ホッピングが適用される場合、
前記パラメータΔｘは、第２のＲＲＣシグナリングに少なくとも基づき与えられ、
前記ＰＵＣＣＨに周波数ホッピングが適用されない場合、
前記パラメータΔｘは０である請求項１に記載の端末装置。
【請求項４】
前記ＰＵＣＣＨに周波数ホッピングが適用される場合、
前記パラメータΔｘは０であり、
前記ＰＵＣＣＨに周波数ホッピングが適用されない場合、
前記パラメータΔｘは、第２のＲＲＣシグナリングに少なくとも基づき与えられる請求項１に記載の端末装置。
【請求項５】
第１のＲＲＣシグナリングを送信する送信部と、
ＰＵＣＣＨで送信される上りリンク制御情報を受信する受信部と、を備え、
前記第１のＲＲＣシグナリングは、前記ＰＵＣＣＨに周波数ホッピングが適用されるか否かを示す情報を含み、
前記ＰＵＣＣＨの送信電力は、パラメータΔｘに少なくとも基づき与えられ、
前記パラメータΔｘは、前記ＰＵＣＣＨに周波数ホッピングが適用されるか否かに少なくとも基づき与えられる基地局装置。
【請求項６】
前記パラメータΔｘは、さらに、前記ＰＵＣＣＨのＰＵＣＣＨフォーマットＦに少なくとも基づいて与えられ、
前記ＰＵＣＣＨフォーマットＦは、２ビット以下の前記上りリンク制御情報を送信するために用いられる第１のＰＵＣＣＨフォーマットと、３ビット以上の前記上りリンク制御情報を送信するために用いられる第２のＰＵＣＣＨフォーマットとを少なくとも含む請求項５に記載の基地局装置。
【請求項７】
前記ＰＵＣＣＨに周波数ホッピングが適用される場合、
前記パラメータΔｘは、第２のＲＲＣシグナリングに少なくとも基づき与えられ、
前記ＰＵＣＣＨに周波数ホッピングが適用されない場合、
前記パラメータΔｘは０である請求項５に記載の基地局装置。
【請求項８】
前記ＰＵＣＣＨに周波数ホッピングが適用される場合、
前記パラメータΔｘは０であり、
前記ＰＵＣＣＨに周波数ホッピングが適用されない場合、
前記パラメータΔｘは、第２のＲＲＣシグナリングに少なくとも基づき与えられる請求項５に記載の基地局装置。
【請求項９】
端末装置に用いられる通信方法であって、
第１のＲＲＣシグナリングを受信するステップと、
ＰＵＣＣＨの送信電力を決定するステップと、
上りリンク制御情報を前記ＰＵＣＣＨで送信するステップと、を備え、
前記第１のＲＲＣシグナリングは、前記ＰＵＣＣＨに周波数ホッピングが適用されるか否かを示す情報を含み、
前記ＰＵＣＣＨの前記送信電力は、パラメータΔｘに少なくとも基づき与えられ、
前記パラメータΔｘは、前記ＰＵＣＣＨに周波数ホッピングが適用されるか否かに少なくとも基づき与えられる通信方法。
【請求項１０】
基地局装置に用いられる通信方法であって、
第１のＲＲＣシグナリングを送信するステップと、
ＰＵＣＣＨで送信される上りリンク制御情報を受信するステップと、を備え、
前記第１のＲＲＣシグナリングは、前記ＰＵＣＣＨに周波数ホッピングが適用されるか否かを示す情報を含み、
前記ＰＵＣＣＨの送信電力は、パラメータΔｘに少なくとも基づき与えられ、
前記パラメータΔｘは、前記ＰＵＣＣＨに周波数ホッピングが適用されるか否かに少なくとも基づき与えられる通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「ＥＵＴＲＡ：Ｅｖｏｌｖｅｄ  Ｕｎｉｖｅｒｓａｌ  Ｔ
ｅｒｒｅｓｔｒｉａｌ  Ｒａｄｉｏ  Ａｃｃｅｓｓ」と称する。）が、第三世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において検討されている。ＬＴＥにおいて、基地局装置はｅＮｏｄｅＢ（ｅｖｏｌｖｅｄ  ＮｏｄｅＢ）、端末装置はＵＥ（Ｕｓｅｒ  Ｅｑｕｉｐｍｅｎｔ）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ＩＴＵ：  Ｉｎｔｅｒｎａｔｉｏｎａｌ  Ｔｅｌｅｃｏｍｍｕｎｉｃａｔｉｏｎ  Ｕｎｉｏｎ）が策定する次世代移動通信システムの規格であるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）―２０２０に提案するため、次世代規格（ＮＲ：  Ｎｅｗ  Ｒａｄｉｏ）の検討が行われている（非特許文献１）。ＮＲは、単一の技術の枠組みにおいて、ｅＭＢＢ（ｅｎｈａｎｃｅｄ  Ｍｏｂｉｌｅ  ＢｒｏａｄＢａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ）の３つのシナリオを想定した要求を満たすことが求められている。
【先行技術文献】
【非特許文献】
【０００４】
【非特許文献１】"New SID proposal: Study on New Radio Access Technology", RP-160671, NTT docomo, 3GPP TSG RAN Meeting #71, Goteborg, Sweden, 7th - 10th March, 2016.
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、第１のＲＲＣシグナリングを受信する受信部と、ＰＵＣＣＨの送信電力を決定する制御部と、上りリンク制御情報を前記ＰＵＣＣＨで送信する送信部と、を備え、前記第１のＲＲＣシグナリングは、前記ＰＵＣＣＨに周波数ホッピングが適用されるか否かを示す情報を含み、前記ＰＵＣＣＨの前記送信電力は、パラメータΔｘに少なくとも基づき与えられ、前記パラメータΔｘは、前記ＰＵＣＣＨに周波数ホッピングが適用されるか否かに少なくとも基づき与えられる。
【０００７】
（２）本発明の第２の態様は、基地局装置であって、第１のＲＲＣシグナリングを送信する送信部と、ＰＵＣＣＨで送信される上りリンク制御情報を受信する受信部と、を備え、前記第１のＲＲＣシグナリングは、前記ＰＵＣＣＨに周波数ホッピングが適用されるか否かを示す情報を含み、前記ＰＵＣＣＨの前記送信電力は、パラメータΔｘに少なくとも
基づき与えられ、前記パラメータΔｘは、前記ＰＵＣＣＨに周波数ホッピングが適用されるか否かに少なくとも基づき与えられる。
【０００８】
（３）本発明の第３の態様は、端末装置に用いられる通信方法であって、第１のＲＲＣシグナリングを受信するステップと、ＰＵＣＣＨの送信電力を決定するステップと、上りリンク制御情報を前記ＰＵＣＣＨで送信するステップと、を備え、前記第１のＲＲＣシグナリングは、前記ＰＵＣＣＨに周波数ホッピングが適用されるか否かを示す情報を含み、前記ＰＵＣＣＨの前記送信電力は、パラメータΔｘに少なくとも基づき与えられ、前記パラメータΔｘは、前記ＰＵＣＣＨに周波数ホッピングが適用されるか否かに少なくとも基づき与えられる。
【０００９】
（４）本発明の第４の態様は、基地局装置に用いられる通信方法であって、第１のＲＲＣシグナリングを送信するステップと、ＰＵＣＣＨで送信される上りリンク制御情報を受信するステップと、を備え、前記第１のＲＲＣシグナリングは、前記ＰＵＣＣＨに周波数ホッピングが適用されるか否かを示す情報を含み、前記ＰＵＣＣＨの前記送信電力は、パラメータΔｘに少なくとも基づき与えられ、前記パラメータΔｘは、前記ＰＵＣＣＨに周波数ホッピングが適用されるか否かに少なくとも基づき与えられる。
【発明の効果】
【００１０】
この発明によれば、端末装置は効率的に通信を行うことができる。また、基地局装置は効率的に通信を行うことができる。
【図面の簡単な説明】
【００１１】
【図１】本実施形態の一態様に係る無線通信システムの概念図である。
【図２】本実施形態の一態様に係るＮｓｌｏｔｓｙｍｂ、サブキャリア間隔の設定μ、スロット設定、および、ＣＰ設定の関係を示す一例である。
【図３】本実施形態の一態様に係るサブフレームにおけるリソースグリッドの一例を示す概略図である。
【図４】本実施形態の一態様に係る第１のＰＵＣＣＨフォーマットの構成例を示す図である。
【図５】本実施形態の一態様に係る第２のＰＵＣＣＨフォーマットの構成例を示す図である。
【図６】本実施形態の一態様に係る周波数ホッピングが適用される第２のＰＵＣＣＨフォーマットにおける、サブフレームの後半スロット（または、奇数番目のスロット）のためのＰＵＣＣＨ、および、該ＰＵＣＣＨに関連するＤＭＲＳのマッピング例を示す図である。
【図７】本実施形態の一態様に係る第３のＰＵＣＣＨフォーマットの構成例を示す図である。
【図８】本実施形態の一態様に係る第４のＰＵＣＣＨフォーマットの構成例を示す図である。
【図９】本実施形態の一態様に係るＰＵＣＣＨがマップされるＯＦＤＭシンボルの数が１である場合の第５のＰＵＣＣＨフォーマットの構成例を示す図である。
【図１０】本実施形態の一態様に係るＰＵＣＣＨがマップされるＯＦＤＭシンボルの数が１である場合の第６のＰＵＣＣＨフォーマットの構成例を示す図である。
【図１１】本実施形態の一態様に係る周波数ホッピングが適用されない場合の第７のＰＵＣＣＨフォーマットの構成例を示す図である。
【図１２】本実施形態の一態様に係る周波数ホッピングが適用される場合の第７のＰＵＣＣＨフォーマットの構成例を示す図である。
【図１３】本実施形態の一態様に係る周波数ホッピングが適用される場合の第７のＰＵＣＣＨフォーマットの構成例を示す図である。
【図１４】本実施形態の一態様に係る周波数ホッピングが適用される場合の第７のＰＵＣＣＨフォーマットの構成例を示す図である。
【図１５】本実施形態の一態様に係るパラメータΔｘの設定例を示す図である。
【図１６】本実施形態の一態様に係るパラメータΔｘの設定例を示す図である。
【図１７】本実施形態の一態様に係るパラメータΔｘの設定例を示す図である。
【図１８】本実施形態の一態様に係る端末装置１の構成を示す概略ブロック図である。
【図１９】本実施形態の一態様に係る基地局装置３の構成を示す概略ブロック図である。
【発明を実施するための形態】
【００１２】
以下、本発明の実施形態について説明する。
【００１３】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１４】
以下、フレーム構成について説明を行う。
【００１５】
本実施形態の一態様に係る無線通信システムにおいて、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）が少なくとも用いられる。時間領域の単位の一つであるＯＦＤＭシンボルは、少なくとも１または複数のサブキャリア（ｓｕｂｃａｒｒｉｅｒ）を含み、ベースバンド信号生成において時間連続信号（ｔｉｍｅ−ｃｏｎｔｉｎｕｌｏｕｓ  ｓｉｇｎａｌ）に変換される。本実施形態の一態様に係る無線通信システムにおいて、ＯＦＤＭおよびＤＦＴ−ｓ−ＯＦＤＭ（Ｄｉｓｃｒｅｔｅ  Ｆｏｕｒｉｅｒ  Ｔｒａｎｓｆｏｒｍ−ｓｐｒｅａｄ  ＯＦＤＭ）が用いられてもよい。本実施形態の一態様に係る無線通信システムにおいてＯＦＤＭとＤＦＴ−ｓ−ＯＦＤＭのいずれが用いられるかに関わらず、時間領域の単位はＯＦＤＭシンボルと呼称される。
【００１６】
サブキャリア間隔（ＳＣＳ：ＳｕｂＣａｒｒｉｅｒ  Ｓｐａｃｉｎｇ）は、サブキャリア間隔Δｆ＝２μ・１５ｋＨｚで与えられてもよい。μは、サブキャリア間隔の設定である。例えば、μは０〜５の値のいずれかであってもよい。ＢＷＰ（ＢａｎｄＷｉｄｔｈ  Ｐａｒｔ）のために、サブキャリア間隔の設定μが上位層のパラメータ（サブキャリア間隔の設定μ）により与えられてもよい。サブキャリア間隔の設定μは、あらかじめ定義された値であってもよい。
【００１７】
本実施形態の一態様に係る無線通信システムにおいて、時間領域の長さの表現のために時間単位（タイムユニット）Ｔｓが用いられる。時間単位Ｔｓは、Ｔｓ＝１／（Δｆｍａｘ・Ｎｆ）で与えられる。Δｆｍａｘは、本実施形態の一態様に係る無線通信システムにおいてサポートされるサブキャリア間隔の最大値であってもよい。Δｆｍａｘは、Δｆｍａｘ＝４８０ｋＨｚであってもよい。時間単位Ｔｓは、Ｔｓとも呼称される。定数κは、κ＝Δｆｍａｘ・Ｎｆ／（ΔｆｒｅｆＮｆ，ｒｅｆ）＝６４である。Δｆｒｅｆは、１５ｋＨｚであり、Ｎｆ，ｒｅｆは、２０４８である。
【００１８】
定数κは、参照サブキャリア間隔とＴｓの関係を示す値であってもよい。定数κはサブフレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００１９】
下りリンク送信、および／または、上りリンク送信は、１０ｍｓの長さのフレームにより構成される。フレームは、１０個のサブフレームを含んで構成される。サブフレームの長さは１ｍｓである。フレームの長さは、サブキャリア間隔Δｆに依存しない値であってもよい。つまり、フレームの設定はμに基づかずに与えられてもよい。サブフレームの長さは、サブキャリア間隔Δｆに依存しない値であってもよい。つまり、サブフレームの設定はμに基づかずに与えられてもよい。サブフレームの長さは、Δｆｒｅｆ＝１５ｋＨｚ、および、Ｎｆ，ｒｅｆ＝２０４８に少なくとも基づき与えられてもよい。
【００２０】
サブキャリア間隔の設定μ（ｓｕｂｃａｒｒｉｅｒ  ｓｐａｃｉｎｇ  ｃｏｎｆｉｇｕｒａｔｉｏｎ）のために、サブフレームに含まれるスロットの数とインデックスが与えられてもよい。例えば、第１のスロット番号ｎμｓは、サブフレーム内において０からＮｓｕｂｆｒａｍｅ，μｓｌｏｔの範囲で昇順に与えられてもよい。サブキャリア間隔の設定μのために、フレームに含まれるスロットの数とインデックスが与えられてもよい。例えば、第２のスロット番号ｎμｓ，ｆは、フレーム内において０からＮｆｒａｍｅ，μｓｌｏｔの範囲で昇順に与えられてもよい。連続するＮｓｌｏｔｓｙｍｂ個のＯＦＤＭシンボルが１つのスロットに含まれてもよい。Ｎｓｌｏｔｓｙｍｂは、スロット設定（ｓｌｏｔ
ｃｏｎｆｉｇｕｒａｔｉｏｎ）、および、ＣＰ（Ｃｙｃｌｉｃ  Ｐｒｅｆｉｘ）設定の一部または全部に少なくとも基づき与えられてもよい。スロット設定は、上位層のパラメータｓｌｏｔ＿ｃｏｎｆｉｇｕｒａｔｉｏｎにより与えられてもよい。ＣＰ設定は、上位層のパラメータに少なくとも基づき与えられてもよい。スロット設定は、あらかじめ定義された値であってもよい。例えば、サブキャリア間隔の設定μが０である場合に、スロット設定は１であってもよい。
【００２１】
図２は、本実施形態の一態様に係るＮｓｌｏｔｓｙｍｂ、サブキャリア間隔の設定μ、スロット設定、および、ＣＰ設定の関係を示す一例である。図２Ａにおいて、スロット設定が０であり、ＣＰ設定がノーマルＣＰ（ｎｏｒｍａｌ  ｃｙｃｌｉｃ  ｐｒｅｆｉｘ）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、スロット設定が０であり、ＣＰ設定が拡張ＣＰ（ｅｘｔｅｎｄｅｄ  ｃｙｃｌｉｃ  ｐｒｅｆｉｘ）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。スロット設定０におけるＮｓｌｏｔｓｙｍｂは、スロット設定１におけるＮｓｌｏｔｓｙｍｂの２倍に対応してもよい。
【００２２】
ＬＴＥにおいて、サブキャリア間隔の設定μ＝０であり、スロット設定は１であってもよい。つまり、ＬＴＥにおいて、サブキャリア間隔は１５ｋＨｚであり、サブフレームは２つのスロットを含み、該スロットは７ＯＦＤＭシンボルを含んで構成されてもよい。ＮＲにおいて、スロット設定１が少なくともサポートされてもよい。
【００２３】
以下、物理リソースについて説明を行う。
【００２４】
アンテナポートは、１つのアンテナポートにおいてシンボルが伝達されるチャネルが、同一のアンテナポートにおいてその他のシンボルが伝達されるチャネルから推定できることによって定義される。１つのアンテナポートにおいてシンボルが伝達されるチャネルの大規模特性（ｌａｒｇｅ  ｓｃａｌｅ  ｐｒｏｐｅｒｔｙ）が、もう一つのアンテナポートにおいてシンボルが伝達されるチャネルから推定できる場合、２つのアンテナポートはＱＣＬ（Ｑｕａｓｉ  Ｃｏ−Ｌｏｃａｔｅｄ）であると呼称される。大規模特性は、チャネルの長区間特性であってもよい。大規模特性は、遅延拡がり（ｄｅｌａｙ  ｓｐｒｅａｄ）、ドップラー拡がり（ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、平均遅延（ａｖｅｒａｇｅ  ｄｅｌａｙ）、および、ビームパラメータ（ｓｐａｔｉａｌ  Ｒｘ  ｐａｒａｍ
ｅｔｅｒｓ）の一部または全部を少なくとも含んでもよい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることを想定してもよい。２つのアンテナポートがＱＣＬであることは、２つのアンテナポートがＱＣＬであることが想定されることであってもよい。
【００２５】
サブキャリア間隔の設定μとキャリアのセットのそれぞれのために、ＮμＲＢ，ｘＮＲＢｓｃ個のサブキャリアとＮ（μ）ｓｙｍｂＮｓｕｂｆｒａｍｅ，μｓｙｍｂ個のＯＦＤＭシンボルのリソースグリッドが与えられる。ＮμＲＢ，ｘは、キャリアｘのためのサブキャリア間隔の設定μのために与えられるリソースブロック数を示してもよい。キャリアｘは下りリンクキャリアまたは上りリンクキャリアのいずれかを示す。つまり、ｘは“ＤＬ”、または、“ＵＬ”である。ＮμＲＢは、ＮμＲＢ，ＤＬ、および、ＮμＲＢ，ＵＬを含んだ呼称である。ＮＲＢｓｃは、１つのリソースブロックに含まれるサブキャリア数を示してもよい。アンテナポートｐごとに、および／または、サブキャリア間隔の設定μごとに、および／または、送信方向（Ｔｒａｎｓｍｉｓｓｉｎ  ｄｉｒｅｃｔｉｏｎ）の設定ごとに１つのリソースグリッドが与えられてもよい。送信方向は、少なくとも下りリンク（ＤＬ：ＤｏｗｎＬｉｎｋ）および上りリンク（ＵＬ：ＵｐＬｉｎｋ）を含む。以下、アンテナポートｐ、サブキャリア間隔の設定μ、および、送信方向の設定の一部または全部を少なくとも含むパラメータのセットは、第１の無線パラメータセットとも呼称される。つまり、リソースグリッドは、第１の無線パラメータセットごとに１つ与えられてもよい。
【００２６】
第１の無線パラメータセットごとに与えられるリソースグリッドの中の各要素は、リソースエレメントと呼称される。リソースエレメントは周波数領域のインデックスｋと、時間領域のインデックスｌにより特定される。周波数領域のインデックスｋと時間領域のインデックスｌにより特定されるリソースエレメントは、リソースエレメント（ｋ、ｌ）とも呼称される。周波数領域のインデックスｋは、０からＮμＲＢＮＲＢｓｃ−１のいずれかの値を示す。ＮμＲＢはサブキャリア間隔の設定μのために与えられるリソースブロック数であってもよい。ＮＲＢｓｃは、リソースブロックに含まれるサブキャリア数であり、ＮＲＢｓｃ＝１２である。周波数領域のインデックスｋは、サブキャリアインデックスに対応してもよい。時間領域のインデックスｌは、ＯＦＤＭシンボルインデックスに対応してもよい。
【００２７】
図３は、本実施形態の一態様に係るサブフレームにおけるリソースグリッドの一例を示す概略図である。図３のリソースグリッドにおいて、横軸は時間領域のインデックスｌであり、縦軸は周波数領域のインデックスｋである。１つのサブフレームにおいて、リソースグリッドの周波数領域はＮμＲＢＮＲＢｓｃ個のサブキャリアを含み、リソースグリッドの時間領域は１４・２μ−１個のＯＦＤＭシンボルを含んでもよい。リソースブロックは、ＮＲＢｓｃ個のサブキャリアを含んで構成される。リソースブロックの時間領域は、１ＯＦＤＭシンボルに対応してもよい。リソースブロックの時間領域は、１または複数のスロットに対応してもよい。リソースブロックの時間領域は、１つのサブフレームに対応してもよい。
【００２８】
端末装置は、リソースグリッドのサブセットのみを用いて送受信を行うことが指示され
てもよい。リソースグリッドのサブセットは、ＢＷＰとも呼称され、ＢＷＰは上位層のパラメータにより与えられてもよい。つまり、端末装置は、リソースグリッドのすべてのセットを用いて送受信を行なうことが指示されなくてもよい。つまり、端末装置は、リソースグリッド内の一部のリソースを用いて送受信を行なうことが指示されてもよい。
【００２９】
上位層のパラメータは、上位層の信号に含まれるパラメータである。上位層の信号は、ＲＲＣ（Ｒａｄｉｏ  Ｒｅｓｏｕｒｃｅ  Ｃｏｎｔｒｏｌ）シグナリングであってもよいし、ＭＡＣ  ＣＥ（Ｍｅｄｉａ  Ａｃｅｓｓ  Ｃｏｎｔｒｏｌ  Ｃｏｎｔｒｏｌ  Ｅｌｅｍｅｎｔ）であってもよい。ここで、上位層の信号は、ＲＲＣ層の信号であってもよいし、ＭＡＣ層の信号であってもよい。
【００３０】
以下、本実施形態の種々の態様に係る物理チャネルおよび物理シグナルを説明する。
【００３１】
上りリンク物理チャネルは、上位層において発生する情報を運ぶリソースエレメントのセットに対応してもよい。上りリンク物理チャネルは、上りリンクにおいて用いられる物理チャネルである。本実施形態の一態様に係る無線通信システムにおいて、少なくとも下記の一部または全部の上りリンク物理チャネルが用いられる。
・ＰＵＣＣＨ（Ｐｈｙｓｉｃａｌ  Ｕｐｌｉｎｋ  Ｃｏｎｔｒｏｌ  ＣＨａｎｎｅｌ）
・ＰＵＳＣＨ（Ｐｈｙｓｉｃａｌ  Ｕｐｌｉｎｋ  Ｓｈａｒｅｄ  ＣＨａｎｎｅｌ）
・ＰＲＡＣＨ（Ｐｈｙｓｉｃａｌ  Ｒａｎｄｏｍ  Ａｃｃｅｓｓ  ＣＨａｎｎｅｌ）
【００３２】
ＰＵＣＣＨは、上りリンク制御情報（ＵＣＩ：Ｕｐｌｉｎｋ  Ｃｏｎｔｒｏｌ  Ｉｎｆｏｒｍａｔｉｏｎ）を送信するために用いられてもよい。上りリンク制御情報は、下りリンク物理チャネルのチャネル状態情報（ＣＳＩ：Ｃｈａｎｎｅｌ  Ｓｔａｔｅ  Ｉｎｆｏｒｍａｔｉｏｎ）、スケジューリングリクエスト（ＳＲ：Ｓｃｈｅｄｕｌｉｎｇ  Ｒｅｑｕｅｓｔ）、下りリンクデータ（ＴＢ：Ｔｒａｎｓｐｏｒｔ  ｂｌｏｃｋ、ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＤＬ−ＳＣＨ：Ｄｏｗｎｌｉｎｋ−Ｓｈａｒｅｄ  Ｃｈａｎｎｅｌ、ＰＤＳＣＨ：Ｐｈｙｓｉｃａｌ  Ｄｏｗｎｌｉｎｋ  Ｓｈａｒｅｄ  Ｃｈａｎｎｅｌ）に対するＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）の一部または全部を含む。ＨＡＲＱ−ＡＣＫは、下りリンクデータに対応するＡＣＫ（ａｃｋｎｏｗｌｅｄｇｅｍｅｎｔ）またはＮＡＣＫ（ｎｅｇａｔｉｖｅ−ａｃｋｎｏｗｌｅｄｇｅｍｅｎｔ）を示してもよい。
【００３３】
ＨＡＲＱ−ＡＣＫは、下りリンクデータに含まれる１または複数のＣＢＧ（Ｃｏｄｅ  Ｂｌｏｃｋ  Ｇｒｏｕｐ）のそれぞれに対応するＡＣＫまたはＮＡＣＫを示してもよい。ＨＡＲＱ−ＡＣＫを、ＨＡＲＱフィードバック、ＨＡＲＱ情報、ＨＡＲＱ制御情報、および、ＡＣＫ／ＮＡＣＫとも称する。
【００３４】
スケジューリングリクエストは、初期送信のためのＰＵＳＣＨ（ＵＬ−ＳＣＨ：Ｕｐｌｉｎｋ−Ｓｈａｒｅｄ  Ｃｈａｎｎｅｌ）リソースを要求するために少なくとも用いられてもよい。
【００３５】
チャネル状態情報（ＣＳＩ：Ｃｈａｎｎｅｌ  Ｓｔａｔｅ  Ｉｎｆｏｒｍａｔｉｏｎ）は、チャネル品質指標（ＣＱＩ：  Ｃｈａｎｎｅｌ  Ｑｕａｌｉｔｙ  Ｉｎｄｉｃａｔｏｒ）とランク指標（ＲＩ：  Ｒａｎｋ  Ｉｎｄｉｃａｔｏｒ）を少なくとも含む。チャネル品質指標は、プレコーダ行列指標（ＰＭＩ：Ｐｒｅｃｏｄｅｒ  Ｍａｔｒｉｘ  Ｉｎｄｉｃａｔｏｒ）を含んでもよい。ＣＱＩは、チャネル品質（伝搬強度）に関連する指標であり、ＰＭＩは、プレコーダを指示する指標である。ＲＩは、送信ランク（または、送信レイヤ数）を指示する指標である。
【００３６】
ＰＵＳＣＨは、上りリンクデータ（ＴＢ、ＭＡＣ  ＰＤＵ、ＵＬ−ＳＣＨ、ＰＵＳＣＨ）を送信するために用いられる。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００３７】
ＰＲＡＣＨは、ランダムアクセスプリアンブル（ランダムアクセスメッセージ１）を送信するために用いられる。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンクデータの送信に対する同期（タイミング調整）、およびＰＵＳＣＨ（ＵＬ−ＳＣＨ）リソースの要求を示すために用いられる。ランダムアクセスプリアンブルは、端末装置１の上位層より与えられるインデックス（ランダムアクセスプリアンブルインデックス）を基地局装置３に通知するために用いられてもよい。
【００３８】
図１において、上りリンクの無線通信では、以下の上りリンク物理シグナルが用いられる。上りリンク物理シグナルは、上位層から出力された情報を送信するために使用されなくてもよいが、物理層によって使用される。
・ＵＬ  ＤＭＲＳ（ＵｐＬｉｎｋ  Ｄｅｍｏｄｕｌａｔｉｏｎ  Ｒｅｆｅｒｅｎｃｅ  Ｓｉｇｎａｌ）
・ＳＲＳ（Ｓｏｕｎｄｉｎｇ  Ｒｅｆｅｒｅｎｃｅ  Ｓｉｇｎａｌ）
【００３９】
ＵＬ  ＤＭＲＳは、ＰＵＳＣＨ、および／または、ＰＵＣＣＨの送信に関連する。ＵＬ
ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、ＰＵＳＣＨと、該ＰＵＳＣＨに関連するＵＬ  ＤＭＲＳを共に送信することを、単に、ＰＵＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００４０】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００４１】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Ｐｈｙｓｉｃａｌ  Ｂｒｏａｄｃａｓｔ  Ｃｈａｎｎｅｌ）
・ＰＤＣＣＨ（Ｐｈｙｓｉｃａｌ  Ｄｏｗｎｌｉｎｋ  Ｃｏｎｔｒｏｌ  Ｃｈａｎｎｅｌ）
・ＰＤＳＣＨ（Ｐｈｙｓｉｃａｌ  Ｄｏｗｎｌｉｎｋ  Ｓｈａｒｅｄ  Ｃｈａｎｎｅｌ）
【００４２】
ＰＢＣＨは、マスターインフォメーションブロック（ＭＩＢ：Ｍａｓｔｅｒ  Ｉｎｆｏｒｍａｔｉｏｎ  Ｂｌｏｃｋ、ＢＣＨ、Ｂｒｏａｄｃａｓｔ  Ｃｈａｎｎｅｌ）を送信するために用いられる。ＰＢＣＨは、所定の送信間隔に基づき送信されてもよい。例えば、ＰＢＣＨは、８０ｍｓの間隔で送信されてもよい。ＰＢＣＨに含まれる情報の中身は、８
０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および、無線フレームの番号の少なくとも一部を指示する情報を含んでもよい。
【００４３】
ＰＤＣＣＨは、下りリンク制御情報（ＤＣＩ：Ｄｏｗｎｌｉｎｋ  Ｃｏｎｔｒｏｌ  Ｉｎｆｏｒｍａｔｉｏｎ）を送信するために用いられる。下りリンク制御情報は、ＤＣＩフォーマットとも呼称される。下りリンク制御情報は、下りリンクグラント（ｄｏｗｎｌｉｎｋ  ｇｒａｎｔ）または上りリンクグラント（ｕｐｌｉｎｋ  ｇｒａｎｔ）のいずれかを少なくとも含んでもよい。下りリンクグラントは、下りリンクアサインメント（ｄｏｗｎｌｉｎｋ  ａｓｓｉｇｎｍｅｎｔ）または下りリンク割り当て（ｄｏｗｎｌｉｎｋ  ａｌｌｏｃａｔｉｏｎ）とも呼称される。
【００４４】
１つの下りリンクグラントは、１つのサービングセル内の１つのＰＤＳＣＨのスケジューリングのために少なくとも用いられる。下りリンクグラントは、該下りリンクグラントが送信されたスロットと同じスロット内のＰＤＳＣＨのスケジューリングのために少なくとも用いられる。
【００４５】
１つの上りリンクグラントは、１つのサービングセル内の１つのＰＵＳＣＨのスケジューリングのために少なくとも用いられる。
【００４６】
１つの物理チャネルは、１つのサービングセルにマップされてもよい。１つの物理チャネルは、複数のサービングセルにマップされなくてもよい。
【００４７】
端末装置１は、ＰＤＣＣＨの探索のために、１または複数の制御リソースセットが設定されてもよい。端末装置１は、設定された制御リソースセットにおいてＰＤＣＣＨの受信を試みる。制御リソースセットは、あらかじめ定義されてもよい。
【００４８】
制御リソースセットは、１つまたは複数のＰＤＣＣＨがマップされうる時間周波数領域を示してもよい。制御リソースセットは、端末装置１がＰＤＣＣＨの受信を試みる領域であってもよい。
【００４９】
制御リソースセットの周波数領域は、サービングセルのシステム帯域幅と同一であってもよい。また、制御リソースセットの周波数領域は、サービングセルのシステム帯域幅に少なくとも基づき与えられてもよい。制御リソースセットの周波数領域は、上位層の信号、および／または、下りリンク制御情報に少なくとも基づき与えられてもよい。
【００５０】
制御リソースセットの時間領域は、上位層のパラメータに少なくとも基づき与えられてもよい。
【００５１】
ＰＤＳＣＨは、下りリンクデータ（ＤＬ−ＳＣＨ、ＰＤＳＣＨ）を送信するために用いられる。ＰＤＳＣＨは、ランダムアクセスメッセージ２（ランダムアクセスレスポンス）を送信するために少なくとも用いられる。ＰＤＳＣＨは、初期アクセスのために用いられるパラメータを含むシステム情報を送信するために少なくとも用いられる。
【００５２】
ＰＤＳＣＨは、スクランブリング（Ｓｃｒａｍｂｌｉｎｇ）、変調（Ｍｏｄｕｌａｔｉｏｎ）、レイヤマッピング（ｌａｙｅｒ  ｍａｐｐｉｎｇ）、プレコーディング（ｐｒｅｃｏｄｉｎｇ）、および、物理リソースマッピング（Ｍａｐｐｉｎｇ  ｔｏ  ｐｈｙｓｉｃａｌ  ｒｅｓｏｕｒｃｅ）の一部または全部に少なくとも基づき与えられる。端末装置
１は、スクランブリング、変調、レイヤマッピング、プレコーディング、および、物理リソースマッピングの一部または全部に少なくとも基づきＰＤＳＣＨが与えられると想定してもよい。
【００５３】
図１において、下りリンクの無線通信では、以下の下りリンク物理シグナルが用いられる。下りリンク物理シグナルは、上位層から出力された情報を送信するために使用されなくてもよいが、物理層によって使用される。
・同期信号（ＳＳ：Ｓｙｎｃｈｒｏｎｉｚａｔｉｏｎ  ｓｉｇｎａｌ）
・ＤＬ  ＤＭＲＳ（ＤｏｗｎＬｉｎｋ  ＤｅＭｏｄｕｌａｔｉｏｎ  Ｒｅｆｅｒｅｎｃｅ
Ｓｉｇｎａｌ）
・ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）
【００５４】
同期信号は、端末装置１が下りリンクの周波数領域、および／または、時間領域の同期をとるために用いられる。同期信号は、ＰＳＳ（Ｐｒｉｍａｒｙ  Ｓｙｎｃｈｒｏｎｉｚａｔｉｏｎ  Ｓｉｇｎａｌ）、および、ＳＳＳ（Ｓｅｃｏｎｄａｒｙ  Ｓｙｎｃｈｒｏｎｉｚａｔｉｏｎ  Ｓｉｇｎａｌ）を含む。
【００５５】
ＳＳブロックは、ＰＳＳ、ＳＳＳ、および、ＰＢＣＨの一部または全部を少なくとも含んで構成される。ＳＳブロックに含まれるＰＳＳ、ＳＳＳ、および、ＰＢＣＨの一部または全部のそれぞれのアンテナポートは同一であってもよい。ＳＳブロックに含まれるＰＳＳ、ＳＳＳ、およびＰＢＣＨの一部または全部は、連続するＯＦＤＭシンボルにマップされてもよい。ＳＳブロックに含まれるＰＳＳ、ＳＳＳ、および、ＰＢＣＨの一部または全部のそれぞれのＣＰ設定は同一であってもよい。ＳＳブロックに含まれるＰＳＳ、ＳＳＳ、および、ＰＢＣＨの一部または全部のそれぞれのサブキャリア間隔の設定μは同一であってもよい。ＳＳブロックは、ＳＳ／ＰＢＣＨブロックとも呼称される。
【００５６】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。以下、ＰＢＣＨと、該ＰＢＣＨと関連するＤＬ  ＤＭＲＳが共に送信されることは、短にＰＢＣＨが送信されると呼称される。以下、ＰＤＣＣＨと、該ＰＤＣＣＨと関連するＤＬ  ＤＭＲＳが共に送信されることは、単にＰＤＣＣＨが送信されると呼称される。以下、ＰＤＳＣＨと、該ＰＤＳＣＨと関連するＤＬ  ＤＭＲＳが共に送信されることは、単にＰＤＳＣＨが送信されると呼称される。ＰＢＣＨと関連するＤＬ  ＤＭＲＳは、ＰＢＣＨ用ＤＬ  ＤＭＲＳとも呼称される。ＰＤＳＣＨと関連するＤＬ  ＤＭＲＳは、ＰＤＳＣＨ用ＤＬ  ＤＭＲＳとも呼称される。ＰＤＣＣＨと関連するＤＬ  ＤＭＲＳは、ＰＤＣＣＨと関連するＤＬ  ＤＭＲＳとも呼称される。
【００５７】
ＤＬ  ＤＭＲＳは、端末装置１に個別に設定される参照信号であってもよい。ＤＬ  ＤＭＲＳの系列は、端末装置１に個別に設定されるパラメータに少なくとも基づいて与えられてもよい。ＤＬ  ＤＭＲＳの系列は、ＵＥ固有の値（例えば、Ｃ−ＲＮＴＩ等）に少なくとも基づき与えられてもよい。ＤＬ  ＤＭＲＳは、ＰＤＣＣＨ、および／または、ＰＤＳＣＨのために個別に送信されてもよい。一方、Ｓｈａｒｅｄ  ＲＳは、複数の端末装置１に共通に設定される参照信号であってもよい。Ｓｈａｒｅｄ  ＲＳの系列は、端末装置１に個別に設定されるパラメータとは関係なく与えられてもよい。例えば、Ｓｈａｒｅｄ
ＲＳの系列は、スロットの番号、ミニスロットの番号、および、セルＩＤ（ｉｄｅｎｔｉｔｙ）の少なくとも一部に基づいて与えられてもよい。Ｓｈａｒｅｄ  ＲＳは、ＰＤＣＣＨ、および／または、ＰＤＳＣＨが送信されているか否かに関わらず送信される参照信
号であってもよい。
【００５８】
ＣＳＩ−ＲＳは、チャネル状態情報を算出するために少なくとも用いられる信号であってもよい。端末装置によって想定されるＣＳＩ−ＲＳのパターンは、少なくとも上位層のパラメータにより与えられてもよい。
【００５９】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【００６０】
ＢＣＨ、ＵＬ−ＳＣＨおよびＤＬ−ＳＣＨは、トランスポートチャネルである。媒体アクセス制御（ＭＡＣ：Ｍｅｄｉｕｍ  Ａｃｃｅｓｓ  Ｃｏｎｔｒｏｌ）層で用いられるチャネルはトランスポートチャネルと呼称される。ＭＡＣ層で用いられるトランスポートチャネルの単位は、トランスポートブロック（ＴＢ）またはＭＡＣ  ＰＤＵとも呼称される。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に変調処理が行なわれる。
【００６１】
以下、第１のＰＵＣＣＨフォーマットから第８のＰＵＣＣＨフォーマットを説明する。
【００６２】
第１のＰＵＣＣＨフォーマットは、２ビットまでのＨＡＲＱ−ＡＣＫ、および／または、ＳＲを送信するために用いられてもよい。図４は、本実施形態の一態様に係る第１のＰＵＣＣＨフォーマットの構成例を示す図である。図４において、縦軸は周波数帯域幅（Ｆｒｅｑｕｅｎｃｙ  ｂａｎｄｗｉｄｔｈ）を示す。周波数帯域幅は、ＢＷ（ＢａｎｄＷｉｄｔｈ）を含んでもよい。周波数帯域幅は、ＢＷＰ（ＢａｎｄＷｉｄｔｈ  Ｐａｒｔ）を含んでもよい。ＢＷは、条約、法律（電波法等）、その他規制等に少なくとも基づき与えられる周波数帯域幅であってもよい。ＢＷは、あらかじめ定義される周波数帯域幅であってもよい。ＢＷＰは、上位層のパラメータ、および／または、ＤＣＩに少なくとも基づき与えられる周波数帯域幅であってもよい。図４において、横軸は時間領域のスケジューリングの単位（スケジューリングユニット）を示す。スケジューリングユニットは、サブフレームを含んでもよい。スケジューリングユニットは、スロットを含んでもよい。スケジューリングユニットは、サブキャリア間隔の設定μ、および／または、スロット設定に少なくとも基づき与えられてもよい。スケジューリングユニットは、送信時間間隔（ＴＴＩ：Ｔｒａｎｓｍｉｓｓｉｏｎ  Ｔｉｍｅ  Ｉｎｔｅｒｖａｌ）を示してもよい。図４において、スケジューリングユニットはサブフレームであり、かつ、サブキャリア間隔の設定μ＝０であり、かつ、スロット設定は１である。つまり、図４において、サブフレームに含まれるスロットの数は２であり、該スロットのそれぞれに含まれるＯＦＤＭシンボルの数は７である。
【００６３】
図４において、ＰＵＣＣＨは、８ＯＦＤＭシンボルにマップされ、該ＰＵＣＣＨに関連するＤＭＲＳは、６ＯＦＤＭシンボルにマップされる。図４において、第１の周波数単位（Ｆｉｒｓｔ  ｆｒｅｑｕｅｎｃｙ  ｕｎｉｔ）と第２の周波数単位（Ｓｅｃｏｎｄ  ｆｒｅｑｕｅｎｃｙ  ｕｎｉｔ）のそれぞれに対して、該ＰＵＣＣＨがマップされる４ＯＦＤＭシンボル、および、該ＤＭＲＳがマップされる３ＯＦＤＭシンボルが含まれる。このように、ＰＵＣＣＨ、および／または、該ＰＵＣＣＨに関連するＤＭＲＳが第１の周波数
単位および第２の周波数単位に少なくともマップされることは、周波数ホッピングとも呼称される。周波数ホッピングにおいて、ホッピング数Ｎｈｏｐが、ＰＵＣＣＨ、および／または、該ＰＵＣＣＨに関連するＤＭＲＳがマップされる周波数単位の数から１引いた値より与えられてもよい。つまり、図４において、ホッピング数Ｎｈｏｐ＝１である。周波数ホッピングが適用されないことは、ホッピング数Ｎｈｏｐ＝０であることを示してもよい。
【００６４】
周波数ホッピングにおいて、第１の周波数単位に含まれるＰＵＣＣＨがマップされる第１のＯＦＤＭシンボル（または、ＰＵＣＣＨがマップされる第１のＯＦＤＭシンボルを含んで構成される第１のＯＦＤＭシンボルのグループ）と、第２の周波数単位に含まれるＰＵＣＣＨがマップされる第２のＯＦＤＭシンボル（または、ＰＵＣＣＨがマップされる第２のＯＦＤＭシンボルを含んで構成される第２のＯＦＤＭシンボルのグループ）は異なってもよい。
【００６５】
第１の周波数単位に含まれるＰＵＣＣＨがマップされるＯＦＤＭシンボルの数ＮＰＵＣＣＨ，１は、ＰＵＣＣＨがマップされるＯＦＤＭシンボルの数のうち、第１の周波数単位に含まれるＯＦＤＭシンボルの数と定義される。第２の周波数単位に含まれるＰＵＣＣＨがマップされるＯＦＤＭシンボルの数ＮＰＵＣＣＨ，２は、ＰＵＣＣＨがマップされるＯＦＤＭシンボルの数のうち、第２の周波数単位に含まれるＯＦＤＭシンボルの数と定義される。
【００６６】
第１の周波数単位に含まれるＤＭＲＳがマップされるＯＦＤＭシンボルの数ＮＤＭＲＳ，１は、ＤＭＲＳがマップされるＯＦＤＭシンボルの数のうち、第１の周波数単位に含まれるＯＦＤＭシンボルの数と定義される。第２の周波数単位に含まれるＤＭＲＳがマップされるＯＦＤＭシンボルの数ＮＤＭＲＳ，２は、ＤＭＲＳがマップされるＯＦＤＭシンボルの数のうち、第２の周波数単位に含まれるＯＦＤＭシンボルの数と定義される。該ＤＭＲＳは、ＰＵＣＣＨに関連するＤＭＲＳであってもよい。
【００６７】
第１の周波数単位に含まれるＰＵＣＣＨ、および、ＤＭＲＳがマップされるＯＦＤＭシンボルの数ＮＰＵＣＣＨ＿ＤＭＲＳ，１は、ＰＵＣＣＨ、および、ＤＭＲＳがマップされるＯＦＤＭシンボルの数のうち、第１の周波数単位に含まれるＯＦＤＭシンボルの数と定義される。第２の周波数単位に含まれるＰＵＣＣＨ、および、ＤＭＲＳがマップされるＯＦＤＭシンボルの数ＮＰＵＣＣＨ＿ＤＭＲＳ，２は、ＰＵＣＣＨ、および、ＤＭＲＳがマップされるＯＦＤＭシンボルの数のうち、第２の周波数単位に含まれるＯＦＤＭシンボルの数と定義される。該ＤＭＲＳは、ＰＵＣＣＨに関連するＤＭＲＳであってもよい。
【００６８】
図４において、第１の周波数単位に含まれるＰＵＣＣＨがマップされるＯＦＤＭシンボルの数ＮＰＵＣＣＨ，１＝４である。また、第２の周波数単位に含まれるＰＵＣＣＨがマップされるＯＦＤＭシンボルの数ＮＰＵＣＣＨ，２＝４である。また、第１の周波数単位に含まれるＤＭＲＳがマップされるＯＦＤＭシンボルの数ＮＤＭＲＳ，１＝３である。また、第２の周波数単位に含まれるＤＭＲＳがマップされるＯＦＤＭシンボルの数ＮＤＭＲＳ，２＝３である。また、第１の周波数単位に含まれるＰＵＣＣＨ、および、ＤＭＲＳがマップされるＯＦＤＭシンボルの数ＮＰＵＣＣＨ＿ＤＭＲＳ，１＝７である。また、第２の周波数単位に含まれるＰＵＣＣＨ、および、ＤＭＲＳがマップされるＯＦＤＭシンボルの数ＮＰＵＣＣＨ＿ＤＭＲＳ，２＝７である。
【００６９】
ＰＵＣＣＨ、および、該ＰＵＣＣＨに関連するＤＭＲＳは、まとめてＰＵＣＣＨとも呼称される。
【００７０】
図５は、本実施形態の一態様に係る第２のＰＵＣＣＨフォーマットの構成例を示す図で
ある。第２のＰＵＣＣＨフォーマットは、２ビットまでのＨＡＲＱ−ＡＣＫ、および／または、ＳＲを送信するために用いられてもよい。図５において、スケジューリングユニットは、１スロットである。第２のＰＵＣＣＨフォーマットは、ＰＵＣＣＨがマップされる４ＯＦＤＭシンボル、および、該ＰＵＣＣＨに関連するＰＵＣＣＨがマップされる３ＯＦＤＭシンボルを含んで構成されてもよい。
【００７１】
図５（ａ）は、周波数ホッピングが適用されない場合の第２のＰＵＣＣＨフォーマットの構成例を示している。周波数ホッピングが適用されない第２のＰＵＣＣＨフォーマットにおいて、ＰＵＣＣＨがマップされる全てのＯＦＤＭシンボルは、第１の周波数単位にマップされてもよい。周波数ホッピングが適用されない第２のＰＵＣＣＨフォーマットにおいて、ＰＵＣＣＨがマップされるＯＦＤＭシンボルは、スロット内の１、２、６、および、７番目のＯＦＤＭシンボルであってもよい。周波数ホッピングが適用されない第２のＰＵＣＣＨフォーマットにおいて、該ＰＵＣＣＨに関連するＤＭＲＳがマップされるＯＦＤＭシンボルは、スロット内の３、４、および、５番目のＯＦＤＭシンボルであってもよい。
【００７２】
図５（ａ）において、第１の周波数単位に含まれるＰＵＣＣＨがマップされるＯＦＤＭシンボルの数ＮＰＵＣＣＨ，１＝４である。また、第２の周波数単位に含まれるＰＵＣＣＨがマップされるＯＦＤＭシンボルの数ＮＰＵＣＣＨ，２＝０である。また、第１の周波数単位に含まれるＤＭＲＳがマップされるＯＦＤＭシンボルの数ＮＤＭＲＳ，１＝３である。また、第２の周波数単位に含まれるＤＭＲＳがマップされるＯＦＤＭシンボルの数ＮＤＭＲＳ，２＝０である。また、第１の周波数単位に含まれるＰＵＣＣＨ、および、ＤＭＲＳがマップされるＯＦＤＭシンボルの数ＮＰＵＣＣＨ＿ＤＭＲＳ，１＝７である。また、第２の周波数単位に含まれるＰＵＣＣＨ、および、ＤＭＲＳがマップされるＯＦＤＭシンボルの数ＮＰＵＣＣＨ＿ＤＭＲＳ，２＝０である。
【００７３】
図５（ｂ）は、周波数ホッピングが適用される場合の第２のＰＵＣＣＨフォーマットの構成例を示している。周波数ホッピングが適用される第２のＰＵＣＣＨフォーマットにおいて、ＰＵＣＣＨがマップされるＯＦＤＭシンボルの少なくとも一部は、第２の周波数単位にマップされてもよい。周波数ホッピングが適用される場合の第２のＰＵＣＣＨフォーマットにおいて、第１の周波数単位にマップされるＰＵＣＣＨ、および、該ＰＵＣＣＨに関連するＤＭＲＳがマップされるＯＦＤＭシンボルの総数は３であってもよい。周波数ホッピングが適用される場合の第２のＰＵＣＣＨフォーマットにおいて、第２の周波数単位にマップされるＰＵＣＣＨ、および、該ＰＵＣＣＨに関連するＤＭＲＳがマップされるＯＦＤＭシンボルの総数は４であってもよい。周波数ホッピングが適用される第２のＰＵＣＣＨフォーマットにおいて、ＰＵＣＣＨがマップされるＯＦＤＭシンボルは、スロット内の１、３、４、および、７番目のＯＦＤＭシンボルであってもよい。周波数ホッピングが適用される第２のＰＵＣＣＨフォーマットにおいて、該ＰＵＣＣＨに関連するＤＭＲＳがマップされるＯＦＤＭシンボルは、スロット内の２、５、および、６番目のＯＦＤＭシンボルであってもよい。
【００７４】
図５（ｂ）において、第１の周波数単位に含まれるＰＵＣＣＨがマップされるＯＦＤＭシンボルの数ＮＰＵＣＣＨ，１＝２である。また、第２の周波数単位に含まれるＰＵＣＣＨがマップされるＯＦＤＭシンボルの数ＮＰＵＣＣＨ，２＝２である。また、第１の周波数単位に含まれるＤＭＲＳがマップされるＯＦＤＭシンボルの数ＮＤＭＲＳ，１＝１である。また、第２の周波数単位に含まれるＤＭＲＳがマップされるＯＦＤＭシンボルの数ＮＤＭＲＳ，２＝２である。また、第１の周波数単位に含まれるＰＵＣＣＨ、および、ＤＭＲＳがマップされるＯＦＤＭシンボルの数ＮＰＵＣＣＨ＿ＤＭＲＳ，１＝３である。また、第２の周波数単位に含まれるＰＵＣＣＨ、および、ＤＭＲＳがマップされるＯＦＤＭシンボルの数ＮＰＵＣＣＨ＿ＤＭＲＳ，２＝４である。
【００７５】
図５（ｂ）に示されるＰＵＣＣＨ、および、該ＰＵＣＣＨに関連するＤＭＲＳのマッピングは、サブフレーム内の前半スロット（または、偶数番目のスロット）のためのマッピングであってもよい。図６は、本実施形態の一態様に係る周波数ホッピングが適用される第２のＰＵＣＣＨフォーマットにおける、サブフレームの後半スロット（または、奇数番目のスロット）のためのＰＵＣＣＨ、および、該ＰＵＣＣＨに関連するＤＭＲＳのマッピング例を示す図である。周波数ホッピングが適用される場合の第２のＰＵＣＣＨフォーマットにおいて、第１の周波数単位にマップされるＰＵＣＣＨ、および、該ＰＵＣＣＨに関連するＤＭＲＳがマップされるＯＦＤＭシンボルの総数は４であってもよい。周波数ホッピングが適用される場合の第２のＰＵＣＣＨフォーマットにおいて、第２の周波数単位にマップされるＰＵＣＣＨ、および、該ＰＵＣＣＨに関連するＤＭＲＳがマップされるＯＦＤＭシンボルの総数は３であってもよい。周波数ホッピングが適用される第２のＰＵＣＣＨフォーマットにおいて、ＰＵＣＣＨがマップされるＯＦＤＭシンボルは、スロット内の１、４、５、および、７番目のＯＦＤＭシンボルであってもよい。周波数ホッピングが適用される第２のＰＵＣＣＨフォーマットにおいて、該ＰＵＣＣＨに関連するＤＭＲＳがマップされるＯＦＤＭシンボルは、スロット内の２、３、および、６番目のＯＦＤＭシンボルであってもよい。
【００７６】
図６において、第１の周波数単位に含まれるＰＵＣＣＨがマップされるＯＦＤＭシンボルの数ＮＰＵＣＣＨ，１＝２である。また、第２の周波数単位に含まれるＰＵＣＣＨがマップされるＯＦＤＭシンボルの数ＮＰＵＣＣＨ，２＝２である。また、第１の周波数単位に含まれるＤＭＲＳがマップされるＯＦＤＭシンボルの数ＮＤＭＲＳ，１＝２である。また、第２の周波数単位に含まれるＤＭＲＳがマップされるＯＦＤＭシンボルの数ＮＤＭＲＳ，２＝１である。また、第１の周波数単位に含まれるＰＵＣＣＨ、および、ＤＭＲＳがマップされるＯＦＤＭシンボルの数ＮＰＵＣＣＨ＿ＤＭＲＳ，１＝４である。また、第２の周波数単位に含まれるＰＵＣＣＨ、および、ＤＭＲＳがマップされるＯＦＤＭシンボルの数ＮＰＵＣＣＨ＿ＤＭＲＳ，２＝３である。
【００７７】
周波数ホッピングが適用される第２のＰＵＣＣＨフォーマットにおいて、ＰＵＣＣＨのマッピングパターンは該ＰＵＣＣＨがマップされるスロットのインデックスに少なくとも基づき与えられてもよい。該ＰＵＣＣＨの該マッピングパターンは、第１の周波数単位にマップされるＰＵＣＣＨ、および／または、該ＰＵＣＣＨに関連するＤＭＲＳが含まれるＯＦＤＭシンボルの数を少なくとも含んでもよい。該ＰＵＣＣＨの該マッピングパターンは、第２の周波数単位にマップされるＰＵＣＣＨ、および／または、該ＰＵＣＣＨに関連するＤＭＲＳが含まれるＯＦＤＭシンボルの数を少なくとも含んでもよい。
【００７８】
図７は、本実施形態の一態様に係る第３のＰＵＣＣＨフォーマットの構成例を示す図である。第３のＰＵＣＣＨフォーマットは、３ビット以上のＵＣＩを送信するために少なくとも用いられてもよい。第３のＰＵＣＣＨフォーマットを用いて送信されるＵＣＩは、リードマラー符号により符号化されてもよい。第３のＰＵＣＣＨフォーマットにおいて、ＰＵＣＣＨがマップされるＯＦＤＭシンボルは、第１の周波数単位に含まれる。つまり、第３のＰＵＣＣＨフォーマットに周波数ホッピングは適用されない。第３のＰＵＣＣＨフォーマットにおいて、第１の周波数単位は１ＰＲＢより構成されてもよい。第３のＰＵＣＣＨフォーマットにおいて、第１の周波数単位はあらかじめ定義されたＰＲＢの数であってもよい。
【００７９】
図７において、第１の周波数単位に含まれるＰＵＣＣＨがマップされるＯＦＤＭシンボルの数ＮＰＵＣＣＨ，１＝６である。また、第２の周波数単位に含まれるＰＵＣＣＨがマップされるＯＦＤＭシンボルの数ＮＰＵＣＣＨ，２＝０である。また、第１の周波数単位に含まれるＤＭＲＳがマップされるＯＦＤＭシンボルの数ＮＤＭＲＳ，１＝１である。ま
た、第２の周波数単位に含まれるＤＭＲＳがマップされるＯＦＤＭシンボルの数ＮＤＭＲＳ，２＝０である。また、第１の周波数単位に含まれるＰＵＣＣＨ、および、ＤＭＲＳがマップされるＯＦＤＭシンボルの数ＮＰＵＣＣＨ＿ＤＭＲＳ，１＝７である。また、第２の周波数単位に含まれるＰＵＣＣＨ、および、ＤＭＲＳがマップされるＯＦＤＭシンボルの数ＮＰＵＣＣＨ＿ＤＭＲＳ，２＝０である。
【００８０】
図８は、本実施形態の一態様に係る第４のＰＵＣＣＨフォーマットの構成例を示す図である。第４のＰＵＣＣＨフォーマットは、３ビット以上のＵＣＩを送信するために用いられてもよい。第４のＰＵＣＣＨフォーマットを用いて送信されるＵＣＩは、ＴＢＣＣ（Ｔａｉｌ  ｂｉｔｉｎｇ  Ｃｏｎｖｏｌｕｔｉｏｎａｌ  Ｃｏｄｉｎｇ）符号により符号化されてもよい。第４のＰＵＣＣＨフォーマットに周波数ホッピングが適用されてもよい。第４のＰＵＣＣＨフォーマットに周波数ホッピングが適用されるか否かは、上位層のパラメータに少なくとも基づき与えられてもよい。第４のＰＵＣＣＨフォーマットにおいて、第１の周波数単位、および／または、第２の周波数単位を構成するＰＲＢの数は、上位層のパラメータにより設定されてもよい。
【００８１】
図８（ａ）は、偶数スロット（Ｅｖｅｎ  ｓｌｏｔｓ）における第４のＰＵＣＣＨフォーマットの構成例を示す図である。偶数スロットにおける第４のＰＵＣＣＨフォーマットにおいて、第１の周波数単位にマップされるＰＵＣＣＨ、および、該ＰＵＣＣＨに関連するＤＭＲＳがマップされるＯＦＤＭシンボルの総数は３であってもよい。偶数スロットにおける第４のＰＵＣＣＨフォーマットにおいて、第２の周波数単位にマップされるＰＵＣＣＨ、および、該ＰＵＣＣＨに関連するＤＭＲＳがマップされるＯＦＤＭシンボルの総数は４であってもよい。偶数スロットにおける第４のＰＵＣＣＨフォーマットにおいて、ＰＵＣＣＨがマップされるＯＦＤＭシンボルは、スロット内の１、３、４、５、および、７番目のＯＦＤＭシンボルであってもよい。偶数スロットにおける第４のＰＵＣＣＨフォーマットにおいて、該ＰＵＣＣＨに関連するＤＭＲＳがマップされるＯＦＤＭシンボルは、スロット内の２、および、６番目のＯＦＤＭシンボルであってもよい。
【００８２】
図８（ａ）において、第１の周波数単位に含まれるＰＵＣＣＨがマップされるＯＦＤＭシンボルの数ＮＰＵＣＣＨ，１＝２である。また、第２の周波数単位に含まれるＰＵＣＣＨがマップされるＯＦＤＭシンボルの数ＮＰＵＣＣＨ，２＝３である。また、第１の周波数単位に含まれるＤＭＲＳがマップされるＯＦＤＭシンボルの数ＮＤＭＲＳ，１＝１である。また、第２の周波数単位に含まれるＤＭＲＳがマップされるＯＦＤＭシンボルの数ＮＤＭＲＳ，２＝１である。また、第１の周波数単位に含まれるＰＵＣＣＨ、および、ＤＭＲＳがマップされるＯＦＤＭシンボルの数ＮＰＵＣＣＨ＿ＤＭＲＳ，１＝３である。また、第２の周波数単位に含まれるＰＵＣＣＨ、および、ＤＭＲＳがマップされるＯＦＤＭシンボルの数ＮＰＵＣＣＨ＿ＤＭＲＳ，２＝４である。
【００８３】
図８（ｂ）は、奇数スロット（ｏｄｄ  ｓｌｏｔｓ）における第４のＰＵＣＣＨフォーマットの構成例を示す図である。奇数スロットにおける第４のＰＵＣＣＨフォーマットにおいて、第１の周波数単位にマップされるＰＵＣＣＨ、および、該ＰＵＣＣＨに関連するＤＭＲＳがマップされるＯＦＤＭシンボルの総数は４であってもよい。奇数スロットにおける第４のＰＵＣＣＨフォーマットにおいて、第２の周波数単位にマップされるＰＵＣＣＨ、および、該ＰＵＣＣＨに関連するＤＭＲＳがマップされるＯＦＤＭシンボルの総数は３であってもよい。奇数スロットにおける第４のＰＵＣＣＨフォーマットにおいて、ＰＵＣＣＨがマップされるＯＦＤＭシンボルは、スロット内の１、３、４、５、および、７番目のＯＦＤＭシンボルであってもよい。偶数スロットにおける第４のＰＵＣＣＨフォーマットにおいて、該ＰＵＣＣＨに関連するＤＭＲＳがマップされるＯＦＤＭシンボルは、スロット内の２、および、６番目のＯＦＤＭシンボルであってもよい。
【００８４】
図８（ｂ）において、第１の周波数単位に含まれるＰＵＣＣＨがマップされるＯＦＤＭシンボルの数ＮＰＵＣＣＨ，１＝３である。また、第２の周波数単位に含まれるＰＵＣＣＨがマップされるＯＦＤＭシンボルの数ＮＰＵＣＣＨ，２＝２である。また、第１の周波数単位に含まれるＤＭＲＳがマップされるＯＦＤＭシンボルの数ＮＤＭＲＳ，１＝１である。また、第２の周波数単位に含まれるＤＭＲＳがマップされるＯＦＤＭシンボルの数ＮＤＭＲＳ，２＝１である。また、第１の周波数単位に含まれるＰＵＣＣＨ、および、ＤＭＲＳがマップされるＯＦＤＭシンボルの数ＮＰＵＣＣＨ＿ＤＭＲＳ，１＝４である。また、第２の周波数単位に含まれるＰＵＣＣＨ、および、ＤＭＲＳがマップされるＯＦＤＭシンボルの数ＮＰＵＣＣＨ＿ＤＭＲＳ，２＝３である。
【００８５】
第５のＰＵＣＣＨフォーマットは、２ビットまでのＨＡＲＱ−ＡＣＫ、および／または、ＳＲを送信するために用いられてもよい。第５のＰＵＣＣＨフォーマットは、系列の選択によりＵＣＩが送信されるＰＵＣＣＨフォーマットである。第５のＰＵＣＣＨフォーマットのために、ＰＵＣＣＨ系列のセットが定義される。該ＰＵＣＣＨ系列のセットは、１または複数のＰＵＣＣＨ系列を含む。該ＰＵＣＣＨ系列のそれぞれは、系列の識別に用いられるインデックス、および／または、サイクリックシフトに少なくとも基づき識別される。
【００８６】
第５のＰＵＣＣＨフォーマットにおいて、ＰＵＣＣＨがマップされるＯＦＤＭシンボルの数は１であってもよい。第５のＰＵＣＣＨフォーマットにおいて、ＰＵＣＣＨがマップされるＯＦＤＭシンボルの数は２であってもよい。第５のＰＵＣＣＨフォーマットにおいて、ＰＵＣＣＨがマップされるＯＦＤＭシンボルの数は３であってもよい。第５のＰＵＣＣＨフォーマットにおいて、スケジューリングユニットは、１、２、または、３の一部または全部を少なくとも含んでもよい。
【００８７】
図９は、本実施形態の一態様に係るＰＵＣＣＨがマップされるＯＦＤＭシンボルの数が１である場合の第５のＰＵＣＣＨフォーマットの構成例を示す図である。図９（ａ）は、ＰＵＣＣＨの連続マッピング（Ｃｏｎｔｉｇｕｏｕｓ  ｍａｐｐｉｎｇ）の例を示している。図９（ｂ）は、ＰＵＣＣＨの櫛形マッピング（Ｃｏｍｂ  ｍａｐｐｉｎｇ）の例を示している。ＰＵＣＣＨがマップされるＯＦＤＭシンボルの数が１である場合の第５のＰＵＣＣＨフォーマットのマッピングが連続マッピングであるか櫛形マッピングであるかは、上位層のパラメータに少なくとも基づき与えられてもよい。
【００８８】
ＰＵＣＣＨがマップされるＯＦＤＭシンボルの数が２である場合の第５のＰＵＣＣＨフォーマットに周波数ホッピングが適用されるか否かは、上位層のパラメータに少なくとも基づき与えられてもよい。
【００８９】
第６のＰＵＣＣＨフォーマットは、３ビット以上のＵＣＩを送信するために少なくとも用いられてもよい。第６のＰＵＣＣＨフォーマットにおいて、ＰＵＣＣＨ、および、該ＰＵＣＣＨに関連するＤＭＲＳは周波数多重される。
【００９０】
第６のＰＵＣＣＨフォーマットにおいて、ＰＵＣＣＨがマップされるＯＦＤＭシンボルの数は１であってもよい。第６のＰＵＣＣＨフォーマットにおいて、ＰＵＣＣＨがマップされるＯＦＤＭシンボルの数は２であってもよい。
【００９１】
図１０は、本実施形態の一態様に係るＰＵＣＣＨがマップされるＯＦＤＭシンボルの数が１である場合の第６のＰＵＣＣＨフォーマットの構成例を示す図である。図１０において、ブロックのそれぞれは、１ＰＲＢの１ＯＦＤＭシンボルに対応し、ＰＵＣＣＨがマップされる８つのリソースエレメントと該ＰＵＣＣＨに関連するＤＭＲＳがマップされる４つのリソースエレメントを含んで構成される。
【００９２】
図１０（ａ）は、該ブロックの連続的リソース割り当て（Ｌｏｃａｌｉｚｅｄ  ａｌｌｏｃａｔｉｏｎ）の一例を示す図である。図１０（ｂ）は、該ブロックの分散的リソース割り当て（Ｄｉｓｔｒｉｂｕｔｅｄ  ａｌｌｏｃａｔｉｏｎ）の一例を示す図である。第６のＰＵＣＣＨフォーマットに連続的リソース割り当てが適用されるか分散的リソース割り当てが適用されるかは、上位層のパラメータに少なくとも基づき与えられてもよい。第６のＰＵＣＣＨフォーマットのために割り当てられるＰＲＢの数ＮＰＲＢは、上位層のパラメータに少なくとも基づき与えられてもよい。第６のＰＵＣＣＨフォーマットのために割り当てられるＰＲＢの数ＮＰＲＢは、あらかじめ定義される値より与えられてもよい。
【００９３】
ＰＵＣＣＨがマップされるＯＦＤＭシンボルの数が２である場合の第６のＰＵＣＣＨフォーマットに周波数ホッピングが適用されるか否かは、上位層のパラメータに少なくとも基づき与えられてもよい。
【００９４】
第７のＰＵＣＣＨフォーマットは、２ビットまでのＨＡＲＱ−ＡＣＫ、および／または、ＳＲを送信するために用いられる。第７のＰＵＣＣＨフォーマットは、少なくとも４ＯＦＤＭシンボルを含んで構成される。第７のＰＵＣＣＨフォーマットは、ＰＵＣＣＨおよび該ＰＵＣＣＨに関連するＤＭＲＳが時間領域において交互にマップされてもよい。
【００９５】
図１１は、本実施形態の一態様に係る周波数ホッピングが適用されない場合の第７のＰＵＣＣＨフォーマットの構成例を示す図である。図１１において、スロットに含まれるＯＦＤＭシンボルの数は１４である。第７のＰＵＣＣＨフォーマットにおいて、ＰＵＣＣＨがマップされるＯＦＤＭシンボルは、スロット内において１、３、５、７、９、１１、および、１３番目のＯＦＤＭシンボルの一部または全部を少なくとも含んでもよい。第７のＰＵＣＣＨフォーマットにおいて、該ＰＵＣＣＨに関連するＤＭＲＳがマップされるＯＦＤＭシンボルは、スロット内において２、４、６、８、１０、１２、および、１４番目のＯＦＤＭシンボルの一部または全部を少なくとも含んでもよい。
【００９６】
第７のＰＵＣＣＨフォーマットにおいて、ＰＵＣＣＨがマップされるＯＦＤＭシンボルは、２、４、６、８、１０、１２、および、１４番目のＯＦＤＭシンボルの一部または全部を少なくとも含んでもよい。第７のＰＵＣＣＨフォーマットにおいて、ＰＵＣＣＨに関連するＤＭＲＳがマップされるＯＦＤＭシンボルは、スロット内において１、３、５、７、９、１１、および、１３番目のＯＦＤＭシンボルの一部または全部を少なくとも含んでもよい。第７のＰＵＣＣＨフォーマットにおいて、該ＰＵＣＣＨは奇数番目のＯＦＤＭシンボルにマップされてもよい。第７のＰＵＣＣＨフォーマットにおいて、該ＰＵＣＣＨに関連する該ＤＭＲＳは、偶数番目のＯＦＤＭシンボルにマップされてもよい。
【００９７】
図１１において、第１の周波数単位に含まれるＰＵＣＣＨがマップされるＯＦＤＭシンボルの数ＮＰＵＣＣＨ，１＝７である。また、第２の周波数単位に含まれるＰＵＣＣＨがマップされるＯＦＤＭシンボルの数ＮＰＵＣＣＨ，２＝０である。また、第１の周波数単位に含まれるＤＭＲＳがマップされるＯＦＤＭシンボルの数ＮＤＭＲＳ，１＝７である。また、第２の周波数単位に含まれるＤＭＲＳがマップされるＯＦＤＭシンボルの数ＮＤＭＲＳ，２＝０である。また、第１の周波数単位に含まれるＰＵＣＣＨ、および、ＤＭＲＳがマップされるＯＦＤＭシンボルの数ＮＰＵＣＣＨ＿ＤＭＲＳ，１＝１４である。また、第２の周波数単位に含まれるＰＵＣＣＨ、および、ＤＭＲＳがマップされるＯＦＤＭシンボルの数ＮＰＵＣＣＨ＿ＤＭＲＳ，２＝０である。
【００９８】
図１２は、本実施形態の一態様に係る周波数ホッピングが適用される場合の第７のＰＵＣＣＨフォーマットの構成例を示す図である。図１２において、スロットに含まれるＯＦＤＭシンボルの数は１４である。周波数ホッピングが適用される場合のＰＵＣＣＨがマッ
プされるＯＦＤＭシンボルの番号は、周波数ホッピングが適用されない場合のＰＵＣＣＨがマップされるＯＦＤＭシンボルの番号と同じであってもよい。周波数ホッピングが適用される場合の、該ＰＵＣＣＨに関連するＤＭＲＳがマップされるＯＦＤＭシンボルの番号は、周波数ホッピングが適用されない場合の、該ＰＵＣＣＨに関連するＤＭＲＳがマップされるＯＦＤＭシンボルの番号と同じであってもよい。
【００９９】
図１２において、第１の周波数単位に含まれるＰＵＣＣＨがマップされるＯＦＤＭシンボルの数ＮＰＵＣＣＨ，１＝４である。また、第２の周波数単位に含まれるＰＵＣＣＨがマップされるＯＦＤＭシンボルの数ＮＰＵＣＣＨ，２＝３である。また、第１の周波数単位に含まれるＤＭＲＳがマップされるＯＦＤＭシンボルの数ＮＤＭＲＳ，１＝３である。また、第２の周波数単位に含まれるＤＭＲＳがマップされるＯＦＤＭシンボルの数ＮＤＭＲＳ，２＝４である。また、第１の周波数単位に含まれるＰＵＣＣＨ、および、ＤＭＲＳがマップされるＯＦＤＭシンボルの数ＮＰＵＣＣＨ＿ＤＭＲＳ，１＝７である。また、第２の周波数単位に含まれるＰＵＣＣＨ、および、ＤＭＲＳがマップされるＯＦＤＭシンボルの数ＮＰＵＣＣＨ＿ＤＭＲＳ，２＝７である。
【０１００】
図１３は、本実施形態の一態様に係る周波数ホッピングが適用される場合の第７のＰＵＣＣＨフォーマットの構成例を示す図である。図１３において、スロットに含まれるＯＦＤＭシンボルの数は１４である。図１３において、ＰＵＣＣＨ、および、該ＰＵＣＣＨに関連するＤＭＲＳがマップされるＯＦＤＭシンボルの総数は、１０である。ＰＵＣＣＨ、および、該ＰＵＣＣＨに関連するＤＭＲＳがマップされるＯＦＤＭシンボルの総数がスロットに含まれるＯＦＤＭシンボルの数より少ない場合において、該ＰＵＣＣＨがマップされるＯＦＤＭシンボルは、該ＰＵＣＣＨ、および、該ＰＵＣＣＨに関連するＤＭＲＳがマップされるＯＦＤＭシンボルの総数がスロットに含まれるＯＦＤＭシンボルの数と等しい場合に該ＰＵＣＣＨがマップされるＯＦＤＭシンボルのサブセットにより与えられてもよい。
【０１０１】
図１３において、第１の周波数単位に含まれるＰＵＣＣＨがマップされるＯＦＤＭシンボルの数ＮＰＵＣＣＨ，１＝３である。また、第２の周波数単位に含まれるＰＵＣＣＨがマップされるＯＦＤＭシンボルの数ＮＰＵＣＣＨ，２＝２である。また、第１の周波数単位に含まれるＤＭＲＳがマップされるＯＦＤＭシンボルの数ＮＤＭＲＳ，１＝２である。また、第２の周波数単位に含まれるＤＭＲＳがマップされるＯＦＤＭシンボルの数ＮＤＭＲＳ，２＝３である。また、第１の周波数単位に含まれるＰＵＣＣＨ、および、ＤＭＲＳがマップされるＯＦＤＭシンボルの数ＮＰＵＣＣＨ＿ＤＭＲＳ，１＝５である。また、第２の周波数単位に含まれるＰＵＣＣＨ、および、ＤＭＲＳがマップされるＯＦＤＭシンボルの数ＮＰＵＣＣＨ＿ＤＭＲＳ，２＝５である。
【０１０２】
図１４は、本実施形態の一態様に係る周波数ホッピングが適用される場合の第７のＰＵＣＣＨフォーマットの構成例を示す図である。図１４において、スロットに含まれるＯＦＤＭシンボルの数は１４である。ＰＵＣＣＨは、複数のスロットにマップされてもよい。スロット＃１のＰＵＣＣＨがマップされるＯＦＤＭシンボルが第１の周波数単位に含まれ、スロット＃２のＰＵＣＣＨがマップされるＯＦＤＭシンボルが第２の周波数単位に含まれてもよい。このように、第１のスロットのＰＵＣＣＨがマップされるＯＦＤＭシンボルが第１の周波数単位に含まれ、第２のスロットのＰＵＣＣＨがマップされるＯＦＤＭシンボルが第２の周波数単位に含まれるような周波数ホッピングは、スロット間ホッピング（ｉｎｔｅｒ−ｓｌｏｔ  ｈｏｐｐｉｎｇ）とも呼称される。第１のＰＵＣＣＨフォーマットは、スロット間ホッピングが適用されるＰＵＣＣＨフォーマットである。一方、ＰＵＣＣＨがマップされるＯＦＤＭシンボルの全てが１つのスロットに含まれるような周波数ホッピングはスロット内ホッピング（ｉｎｔｒａ−ｓｌｏｔ  ｈｏｐｐｉｎｇ）とも呼称される。第２のＰＵＣＣＨフォーマットから第８のＰＵＣＣＨフォーマットは、スロット内
ホッピングが適用されてもよい。
【０１０３】
図１４において、第１の周波数単位に含まれるＰＵＣＣＨがマップされるＯＦＤＭシンボルの数ＮＰＵＣＣＨ，１＝７である。また、第２の周波数単位に含まれるＰＵＣＣＨがマップされるＯＦＤＭシンボルの数ＮＰＵＣＣＨ，２＝７である。また、第１の周波数単位に含まれるＤＭＲＳがマップされるＯＦＤＭシンボルの数ＮＤＭＲＳ，１＝７である。また、第２の周波数単位に含まれるＤＭＲＳがマップされるＯＦＤＭシンボルの数ＮＤＭＲＳ，２＝７である。また、第１の周波数単位に含まれるＰＵＣＣＨ、および、ＤＭＲＳがマップされるＯＦＤＭシンボルの数ＮＰＵＣＣＨ＿ＤＭＲＳ，１＝１４である。また、第２の周波数単位に含まれるＰＵＣＣＨ、および、ＤＭＲＳがマップされるＯＦＤＭシンボルの数ＮＰＵＣＣＨ＿ＤＭＲＳ，２＝１４である。
【０１０４】
第７のＰＵＣＣＨフォーマットにおいて、ＰＵＣＣＨ、および、該ＰＵＣＣＨに関連するＤＭＲＳがマップされるＯＦＤＭシンボルの総数は、上位層のパラメータ、および／または、ＤＣＩに少なくとも基づき与えられてもよい。該上位層のパラメータは、スロットフォーマットに関する設定を含んでもよい。該スロットフォーマットに関する設定は、スロットのＤＬ／ＵＬ設定を少なくとも示してもよい。該ＤＣＩは、Ｇｒｏｕｐ  ｃｏｍｍｏｎ  ＰＤＣＣＨで送信されてもよい。該ＤＣＩは、スロットフォーマットに関連する設定を含んでもよい。
【０１０５】
第７のＰＵＣＣＨフォーマットにおいて周波数ホッピングが適用されるか否かは上位層のパラメータに少なくとも基づき与えられてもよい。ＰＵＣＣＨ、および、該ＰＵＣＣＨに関連するＤＭＲＳがマップされるＯＦＤＭシンボルの総数が所定の値未満である場合、第７のＰＵＣＣＨフォーマットにおいて周波数ホッピングが適用されるか否かは上位層のパラメータに少なくとも基づき与えられてもよい。ＰＵＣＣＨ、および、該ＰＵＣＣＨに関連するＤＭＲＳがマップされるＯＦＤＭシンボルの総数が所定の値以上である場合、第７のＰＵＣＣＨフォーマットにおいて周波数ホッピングは常に適用されてもよい。
【０１０６】
ＰＵＣＣＨ、および、該ＰＵＣＣＨに関連するＤＭＲＳがマップされるＯＦＤＭシンボルの総数が所定の値未満である場合、第７のＰＵＣＣＨフォーマットにおいて周波数ホッピングは常に適用されなくてもよい。ＰＵＣＣＨ、および、該ＰＵＣＣＨに関連するＤＭＲＳがマップされるＯＦＤＭシンボルの総数が所定の値以上である場合、第７のＰＵＣＣＨフォーマットにおいて周波数ホッピングが適用されるか否かは上位層のパラメータに少なくとも基づき与えられてもよい。
【０１０７】
第８のＰＵＣＣＨフォーマットは、３ビット以上のＵＣＩを少なくとも送信するために用いられてもよい。
【０１０８】
第８のＰＵＣＣＨフォーマットにおいて周波数ホッピングが適用されるか否かは上位層のパラメータに少なくとも基づき与えられてもよい。ＰＵＣＣＨ、および、該ＰＵＣＣＨに関連するＤＭＲＳがマップされるＯＦＤＭシンボルの総数が所定の値未満である場合、第８のＰＵＣＣＨフォーマットにおいて周波数ホッピングが適用されるか否かは上位層のパラメータに少なくとも基づき与えられてもよい。ＰＵＣＣＨ、および、該ＰＵＣＣＨに関連するＤＭＲＳがマップされるＯＦＤＭシンボルの総数が所定の値以上である場合、第８のＰＵＣＣＨフォーマットにおいて周波数ホッピングは常に適用されてもよい。
【０１０９】
ＰＵＣＣＨ、および、該ＰＵＣＣＨに関連するＤＭＲＳがマップされるＯＦＤＭシンボルの総数が所定の値未満である場合、第８のＰＵＣＣＨフォーマットにおいて周波数ホッピングは常に適用されなくてもよい。ＰＵＣＣＨ、および、該ＰＵＣＣＨに関連するＤＭＲＳがマップされるＯＦＤＭシンボルの総数が所定の値以上である場合、第８のＰＵＣＣ
Ｈフォーマットにおいて周波数ホッピングが適用されるか否かは上位層のパラメータに少なくとも基づき与えられてもよい。
【０１１０】
以下、上りリンクの送信電力制御について説明する。
【０１１１】
サービングセルｃのために、スロットｉのＰＵＣＣＨの送信電力ＰＰＵＣＣＨ（ｉ）は下記の数式（１）に基づき与えられてもよい。ＰＵＣＣＨが１つのサブフレームにマップされる場合（例えば第１のＰＵＣＣＨフォーマットが用いられる場合）、スロットｉはサブフレームｉに読み替えられてもよい。数式（１）に含まれる要素のそれぞれは、デシベル形式で表現される。
【数１】
2019062442.tif 000003
【０１１２】
つまり、サービングセルｃのために、スロットｉのＰＵＣＣＨの送信電力ＰＰＵＣＣＨ（ｉ）は、要素Ａから要素Ｊの一部または全部に少なくとも基づき与えられてもよい。
要素Ａ：サービングセルｃのスロットｉにおいて設定される最大送信電力ＰＭＡＸ，ｃ
要素Ｂ：上位層のパラメータに少なくとも基づき与えられるＰ０＿ＰＵＣＣＨ
要素Ｃ：パスロスの推定値に基づく電力補正値ＰＬｃ
要素Ｄ：ＰＵＣＣＨで送信されるＵＣＩのビット数に関連する電力オフセットパラメータｈ（ｎＣＳＩ，ｎＨＡＲＱ，ｎＳＲ）
要素Ｅ：ＰＵＣＣＨの帯域幅を示すパラメータＭＰＵＣＣＨ，ｃ
要素Ｆ：変調方式／符号化率／リソース利用効率等によるオフセット値ΔＴＦ，ｃ（ｉ）要素Ｇ：ΔＦ＿ＰＵＣＣＨ（Ｆ）
要素Ｈ：ΔＴｘＤ（ＦＴｘＤ）
要素Ｉ：ｇ（ｉ）
要素Ｊ：パラメータΔｘ
【０１１３】
ここで、要素Ｊは要素Ａから要素Ｉの少なくとも一部に含まれてもよい。
【０１１４】
ＰＭＡＸ，ｃは、サービングセルｃのスロットｉにおいて設定される最大送信電力である。ＰＭＡＸ，ｃは、ＰＣＭＡＸ，ｃと等しくてもよい。ＰＣＭＡＸ，ｃは、サービングセルｃのスロットｉにおいて設定される端末装置１の最大送信電力であってもよい。ＬＴＥとＮＲのＤｕａｌ  ｃｏｎｎｅｃｔｉｖｉｔｙにおいて、ＰＭＡＸ，ｃは、ＰＣＭＡＸ，ｃ×ＰＮＲに少なくとも基づき与えられてもよい。ＰＮＲは、最大送信電力の縮減のために用いられるパラメータであってもよい。ＰＮＲは、ＬＴＥのための送信電力を確保するために用いられるパラメータであってもよい。
【０１１５】
Ｐ０＿ＰＵＣＣＨは、上位層の信号に少なくとも基づき与えられる電力オフセット値である。
【０１１６】
ＰＬｃは、サービングセルｃにおける下りリンクのパスロス（Ｐａｔｈ  ｌｏｓｓ）の推定値であってもよい。該パスロスの推定値は、ＳＳ／ＰＢＣＨブロック、および／または、ＣＳＩ−ＲＳに少なくとも基づき与えられてもよい。
【０１１７】
ｈ（ｎＣＳＩ，ｎＨＡＲＱ，ｎＳＲ）は、ＰＵＣＣＨで送信されるＵＣＩのビット数に関連する電力オフセットパラメータである。以下、ｈ（ｎＣＳＩ，ｎＨＡＲＱ，ｎＳＲ）は、ｈＵＣＩとも呼称される。ｈＵＣＩは、ＰＵＣＣＨフォーマットごとに異なる方法に
より与えられてもよいが、該ＰＵＣＣＨフォーマットに周波数ホッピングが適用されるか否かに関わらず与えられてもよい。
【０１１８】
第１のＰＵＣＣＨフォーマットにおいて、ｈＵＣＩ＝０である。端末装置１に対して複数のサービングセルが設定され、第１のＰＵＣＣＨフォーマットに対してチャネル選択が設定される場合、ｈＵＣＩ＝（ｎＨＡＲＱ−１）／２である。ｎＣＳＩは、ＰＵＣＣＨに含まれて送信されるＣＳＩのビット数である。ｎＨＡＲＱは、ＰＵＣＣＨに含まれて送信されるＨＡＲＱ−ＡＣＫのビット数である。ｎＲＩは、ＰＵＣＣＨに含まれて送信されるＲＩのビット数である。
【０１１９】
ＭＰＵＣＣＨ，ｃは、ＰＵＣＣＨの帯域幅を示すパラメータであり、リソースブロックの数によって表現されてもよい。第１のＰＵＣＣＨフォーマットにおいて、ＭＰＵＣＣＨ，ｃは１である。少なくとも第６のＰＵＣＣＨフォーマットにおいて、ＰＵＣＣＨの帯域幅は上位層のパラメータに少なくとも基づき与えられてもよい。ＰＵＣＣＨフォーマットに周波数ホッピングが適用される場合、ＰＵＣＣＨの帯域幅は、第１の周波数単位においてマップされるＰＵＣＣＨの帯域幅であってもよい。ＰＵＣＣＨフォーマットに周波数ホッピングが適用される場合、ＰＵＣＣＨの帯域幅は、第２の周波数単位においてマップされるＰＵＣＣＨの帯域幅であってもよい。
【０１２０】
ＰＵＣＣＨフォーマットのマッピングが櫛形マッピングである場合、ＭＰＵＣＣＨ，ｃは、ＰＵＣＣＨ、および／または、該ＰＵＣＣＨに関連するＤＭＲＳがマップされるサブキャリアの総数に基づき与えられてもよい。例えば、図９（ｂ）において、ＰＵＣＣＨがマップされるサブキャリアの総数は１２であるため、ＭＰＵＣＣＨ，ｃは１であってもよい。ＰＵＣＣＨフォーマットに櫛形マッピングが適用される場合、ＰＵＣＣＨの送信電力決定においてＭＰＵＣＣＨ，ｃは用いられなくてもよい。
【０１２１】
ΔＴＦ，ｃ（ｉ）は、変調方式／符号化率／リソース利用効率等によるオフセット値を示す。端末装置１は、ＰＵＣＣＨで送信されるＵＣＩのビット数、および、ＰＵＣＣＨ送信に対するリソースエレメントの数などに基づいてΔＴＦ，ｃ（ｉ）を計算する。
【０１２２】
ΔＦ＿ＰＵＣＣＨ（Ｆ）は、上位層のパラメータにより与えられる。Ｆは、ＰＵＣＣＨフォーマットを識別するために用いられる値である。つまり、ΔＦ＿ＰＵＣＣＨ（Ｆ）はＰＵＣＣＨフォーマットに少なくとも基づき与えられる。ΔＦ＿ＰＵＣＣＨ（Ｆ）は、ＰＵＣＣＨフォーマットに少なくとも基づき与えられるが、該ＰＵＣＣＨフォーマットに周波数ホッピングが適用されるか否かに関わらず与えられてもよい。
【０１２３】
ΔＴｘＤ（ＦＴｘＤ）は、上位層のパラメータにより与えられる。ＦＴｘＤは、ＰＵＣＣＨフォーマットを識別するために用いられる値である。ΔＴｘＤ（ＦＴｘＤ）は、ＰＵＣＣＨのための送信ダイバーシチが設定される場合に、上位層のパラメータにより与えられ、ＰＵＣＣＨのための送信ダイバーシチが設定されない場合に０である。ＰＵＣＣＨのための送信ダイバーシチが設定される場合に、ΔＴｘＤ（ＦＴｘＤ）は、ＰＵＣＣＨフォーマットごとに上位層のパラメータより設定される値である。
【０１２４】
端末装置１は、数式（２）に基づいて、ｇ（ｉ）の値をセットしてもよい。
【数２】
2019062442.tif 000004
【０１２５】
ここで、δＰＵＣＣＨは、補正値（ａ  ｃｏｒｒｅｃｔｉｏｎ  ｖａｌｕｅ）であり、ＴＰＣコマンドと呼称される。すなわち、δＰＵＣＣＨ（ｉ−ＫＰＵＣＣＨ）は、ｇ（ｉ−１）に累積される値を示している。また、δＰＵＣＣＨ（ｉ−ＫＰＵＣＣＨ）は、あるスロット（ｉ−ＫＰＵＣＣＨ）で受信した、あるセルに対する下りリンクグラントおよびＰＵＣＣＨに対するＤＣＩフォーマット３／３Ａに含まれるＰＵＣＣＨに対するＴＰＣコマンドのフィールドにセットされた値に基づいて指示されてもよい。ＫＰＵＣＣＨは、あらかじめ定義される値であってもよい。
【０１２６】
例えば、下りリンクグラントおよびＰＵＣＣＨに対するＤＣＩフォーマット３に含まれるＰＵＣＣＨに対するＴＰＣコマンドのフィールド（２ビットの情報フィールド）がセットされる値は、累積される補正値｛−１、０、１、３｝にマップされる。例えば、ＰＵＣＣＨに対するＤＣＩフォーマット３Ａに含まれるＰＵＣＣＨに対するＴＰＣコマンドのフィールド（１ビットの情報フィールド）がセットされる値は、累積される補正値｛−１、１｝にマップされる。
【０１２７】
パラメータΔｘは、以下の要素１から要素９の一部または全部に少なくとも基づき与えられる。
要素１：ＰＵＣＣＨフォーマットに周波数ホッピングが適用されるか否か
要素２：ＰＵＣＣＨフォーマットに分散的リソース割り当てが適用されるか否か
要素３：ＰＵＣＣＨフォーマットに櫛形マッピングが適用されるか否か
要素４：ＰＵＣＣＨがマップされるＯＦＤＭシンボルの数ＮＰＵＣＣＨ
要素５：ＰＵＣＣＨに関連するＤＭＲＳがマップされるＯＦＤＭシンボルの数ＮＤＭＲＳ要素６：ＰＵＣＣＨ、および、該ＰＵＣＣＨに関連するＤＭＲＳがマップされるＯＦＤＭシンボルの総数ＮＰＵＣＣＨ＿ＤＭＲＳ
要素７：第１の周波数単位に含まれるＰＵＣＣＨがマップされるＯＦＤＭシンボルのうち、第１の周波数単位に含まれるＯＦＤＭシンボルの数ＮＰＵＣＣＨ，１と第２の周波数単位に含まれるＰＵＣＣＨがマップされるＯＦＤＭシンボルの数ＮＰＵＣＣＨ，２の差Ｎｄｉｆｆ＿ＰＵＣＣＨ＝ＮＰＵＣＣＨ，１−ＮＰＵＣＣＨ，２
要素８：第１の周波数単位に含まれるＤＭＲＳに関連するがマップされるＯＦＤＭシンボルの数ＮＤＭＲＳ，１と第２の周波数単位に含まれるＤＭＲＳがマップされるＯＦＤＭシンボルの数ＮＤＭＲＳ，２の差Ｎｄｉｆｆ＿ＤＭＲＳ＝ＮＤＭＲＳ，１−ＮＤＭＲＳ，２要素９：第１の周波数単位に含まれるＰＵＣＣＨ、および、ＤＭＲＳがマップされるＯＦＤＭシンボルの数ＮＰＵＣＣＨ＿ＤＭＲＳ，１と第２の周波数単位に含まれるＰＵＣＣＨがマップされるＯＦＤＭシンボルの数ＮＰＵＣＣＨ＿ＤＭＲＳ，２の差Ｎｄｉｆｆ＿ＰＵＣＣＨ＿ＤＭＲＳ＝ＮＰＵＣＣＨ＿ＤＭＲＳ，１−ＮＰＵＣＣＨ＿ＤＭＲＳ，２
【０１２８】
要素７、８、および、要素９において、該ＤＭＲＳは、該ＰＵＣＣＨに関連するＤＭＲＳを少なくとも含んでもよい。
【０１２９】
パラメータΔｘはＰＵＣＣＨフォーマットＸに周波数ホッピングが適用されて送信される場合に第１の値であってもよい。該第１の値は、０、または、０より小さい値であってもよい。該第１の値は、上位層のパラメータに基づいて、０と０より小さい値のセットの中から選択されてもよい。パラメータΔｘはＰＵＣＣＨフォーマットＸに周波数ホッピングが適用されないで送信される場合に所定の値（例えば、０）であってもよい。該所定の値は、該第１の値より大きい値、または、該第１の値と同じ値であってもよい。
【０１３０】
パラメータΔｘはＰＵＣＣＨフォーマットＹに周波数ホッピングが適用されて送信される場合に第２の値であってもよい。該第２の値は、０、または、０より小さい値であってもよい。該第２の値は、上位層のパラメータに基づいて、０と０より小さい値のセットの中から選択されてもよい。パラメータΔｘはＰＵＣＣＨフォーマットＹに周波数ホッピン
グが適用されないで送信される場合に所定の値（例えば、０）であってもよい。該所定の値は、該第２の値より大きい値、または、該第２の値と同じ値であってもよい。
【０１３１】
図１５は、本実施形態の一態様に係るパラメータΔｘの設定例を示す図である。図１５（ａ）は、パラメータΔｘの設定例を示す図である。図１５（ａ）に示されるように、ＰＵＣＣＨフォーマットＸの送信に対して周波数ホッピングが有効である場合に、パラメータΔｘは該第１の値であってもよい。また、ＰＵＣＣＨフォーマットＸの送信に対して周波数ホッピングが無効である場合に、パラメータΔｘは該所定の値であってもよい。また、ＰＵＣＣＨフォーマットＹの送信に対して周波数ホッピングが有効である場合に、パラメータΔｘは該第２の値であってもよい。また、ＰＵＣＣＨフォーマットＹの送信に対して周波数ホッピングが無効である場合に、パラメータΔｘは該所定の値であってもよい。ＰＵＣＣＨフォーマットの送信に対して周波数ホッピングが有効であることは、ＰＵＣＣＨフォーマットに周波数ホッピングが適用されて送信されることを示す。ＰＵＣＣＨフォーマットの送信に対して周波数ホッピングが無効であることは、ＰＵＣＣＨフォーマットに周波数ホッピングが適用されないで送信されることを示す。
【０１３２】
ここで、いずれのＰＵＣＣＨフォーマットが送信されるかは、第１の上位層のパラメータに少なくとも基づき与えられてもよい。ままた、ＰＵＣＣＨフォーマットの送信に対して周波数ホッピングが有効であるか無効であるかは、第２の上位層のパラメータに少なくとも基づき与えられてもよい。また、パラメータΔｘのための第１の値は、第３の上位層のパラメータに基づいて与えられてもよい。また、パラメータΔｘのための第２の値は、第４の上位層のパラメータに少なくとも基づき与えられてもよい。
【０１３３】
パラメータΔｘはＰＵＣＣＨフォーマットＸに周波数ホッピングが適用されないで送信される場合に第３の値であってもよい。該第３の値は、０または、０より大きい値であってもよい。該第３の値は、上位層のパラメータに基づいて、０と０より大きい値のセットの中から選択されてもよい。パラメータΔｘはＰＵＣＣＨフォーマットＸに周波数ホッピングが適用されて送信される場合に所定の値（例えば、０）であってもよい。該所定の値は、該第３の値より小さい値、または、該第３の値と同じ値であってもよい。
【０１３４】
パラメータΔｘはＰＵＣＣＨフォーマットＹに周波数ホッピングが適用されないで送信される場合に第４の値であってもよい。該第４の値は、０、または、０より大きい値であってもよい。該第４の値は、上位層のパラメータに基づいて、０と０より大きい値のセットの中から選択されてもよい。パラメータΔｘはＰＵＣＣＨフォーマットＹに周波数ホッピングが適用されて送信される場合に所定の値（例えば、０）であってもよい。該所定の値は、該第２の値より小さい値、または、該第４の値と同じ値であってもよい。
【０１３５】
図１５（ｂ）は、パラメータΔｘの設定例を示す図である。図１５（ｂ）に示されるように、ＰＵＣＣＨフォーマットＸの送信に対して周波数ホッピングが有効である場合に、パラメータΔｘは該所定の値であってもよい。また、ＰＵＣＣＨフォーマットＸの送信に対して周波数ホッピングが無効である場合に、パラメータΔｘは該第３の値であってもよい。また、ＰＵＣＣＨフォーマットＹの送信に対して周波数ホッピングが有効である場合に、パラメータΔｘは該所定の値であってもよい。また、ＰＵＣＣＨフォーマットＹの送信に対して周波数ホッピングが無効である場合に、パラメータΔｘは該第４の値であってもよい。
【０１３６】
ここで、いずれのＰＵＣＣＨフォーマットが送信されるかは、第５の上位層のパラメータに少なくとも基づき与えられてもよい。また、ＰＵＣＣＨフォーマットの送信に対して周波数ホッピングが有効であるか無効であるかは、第６の上位層のパラメータに少なくとも基づき与えられてもよい。また、パラメータΔｘのための第３の値は第７の上位層のパ
ラメータに少なくとも基づき与えられてもよい。また、パラメータΔｘのための第４の値は、第８の上位層のパラメータに少なくとも基づき与えられてもよい。
【０１３７】
パラメータΔｘは、ＰＵＣＣＨフォーマットＸに分散的リソース割り当てが適用されて送信される場合に第５の値であってもよい。該第５の値は、０、または、０より小さい値であってもよい。該第５の値は、０と０より小さい値のセットの中から選択されてもよい。パラメータΔｘはＰＵＣＣＨフォーマットＸに連続的リソース割り当てが適用されて送信される場合に所定の値（例えば、０）であってもよい。該所定の値は、該第５の値より大きい値、または、該第５の値と同じ値であってもよい。
【０１３８】
パラメータΔｘはＰＵＣＣＨフォーマットＹに分散的リソース割り当てが適用されて送信される場合に第６の値であってもよい。該第６の値は、０、または、０より小さい値であってもよい。該第６の値は、０と０より小さい値のセットの中から選択されてもよい。パラメータΔｘはＰＵＣＣＨフォーマットＹに連続的リソース割り当てが適用されて送信される場合に所定の値（例えば、０）であってもよい。該所定の値は、該第６の値より大きい値、または、該第６の値と同じ値であってもよい。
【０１３９】
図１６は、本実施形態の一態様に係るパラメータΔｘの設定例を示す図である。図１６（ａ）は、パラメータΔｘの設定例を示す図である。図１６（ａ）に示されるように、ＰＵＣＣＨフォーマットＸの送信に対して分散的リソース割り当てが設定される場合に、パラメータΔｘは該第５の値であってもよい。また、ＰＵＣＣＨフォーマットＸの送信に対して連続的リソース割り当てが設定される場合に、パラメータΔｘは該所定の値であってもよい。また、ＰＵＣＣＨフォーマットＹの送信に対して分散的リソース割り当てが設定される場合に、パラメータΔｘは該第６の値であってもよい。また、ＰＵＣＣＨフォーマットＹの送信に対して連続的リソース割り当てが設定される場合に、パラメータΔｘは該所定の値であってもよい。
【０１４０】
ここで、いずれのＰＵＣＣＨフォーマットが送信されるかは、第９の上位層のパラメータに少なくとも基づき与えられてもよい。また、ＰＵＣＣＨフォーマットの送信に対して連続的リソース割り当てが適用されるか分散的リソース割り当てが適用されるかは、第１０の上位層のパラメータに少なくとも基づき与えられてもよい。また、パラメータΔｘのための第５の値は第１１の上位層のパラメータに少なくとも基づき与えられてもよい。また、パラメータΔｘのための第６の値は、第１２の上位層のパラメータに少なくとも基づき与えられてもよい。
【０１４１】
パラメータΔｘはＰＵＣＣＨフォーマットＸに連続的リソース割り当てが適用されて送信される場合に第７の値であってもよい。該第７の値は、０、または、０より大きい値であってもよい。該第７の値は、上位層のパラメータに基づいて、０と０より大きい値のセットの中から選択されてもよい。パラメータΔｘはＰＵＣＣＨフォーマットＸに分散的リソース割り当てが適用されて送信される場合に所定の値（例えば、０）であってもよい。該所定の値は、該第７の値より小さい値、または、該第７の値と同じ値であってもよい。
【０１４２】
パラメータΔｘはＰＵＣＣＨフォーマットＹに連続的リソース割り当てが適用されて送信される場合に第８の値であってもよい。該第８の値は、０、または、０より大きい値であってもよい。該第８の値は、上位層のパラメータに基づいて、０と０より大きい値のセットの中から選択されてもよい。パラメータΔｘはＰＵＣＣＨフォーマットＹに周波数ホッピングが適用されて送信される場合に所定の値（例えば、０）であってもよい。該所定の値は、該第８の値より小さい値、または、該第８の値と同じ値であってもよい。
【０１４３】
図１６（ｂ）は、パラメータΔｘの設定例を示す図である。図１６（ｂ）に示されるよ
うに、ＰＵＣＣＨフォーマットＸの送信に対して分散的リソース割り当てが適用される場合に、パラメータΔｘは該所定の値であってもよい。また、ＰＵＣＣＨフォーマットＸの送信に対して連続的リソース割り当てが適用される場合に、パラメータΔｘは該第７の値であってもよい。また、ＰＵＣＣＨフォーマットＹの送信に対して分散的リソース割り当てが適用される場合に、パラメータΔｘは該所定の値であってもよい。また、ＰＵＣＣＨフォーマットＹの送信に対して連続的リソース割り当てが適用される場合に、パラメータΔｘは該第８の値であってもよい。
【０１４４】
ここで、いずれのＰＵＣＣＨフォーマットが送信されるかは、第１３の上位層のパラメータに少なくとも基づき与えられてもよい。また、ＰＵＣＣＨフォーマットの送信に対して連続的リソース割り当てが適用されるか分散的リソース割り当てが適用されるかは、第１４の上位層のパラメータに少なくとも基づき与えられてもよい。また、パラメータΔｘのための第７の値は、第１５の上位層のパラメータに少なくとも基づき与えられてもよい。また、第８の値は、第１６の上位層のパラメータに少なくとも基づき与えられてもよい。
【０１４５】
パラメータΔｘは、ＰＵＣＣＨフォーマットＸに櫛形マッピングが適用されて送信される場合に第９の値であってもよい。該第９の値は、０、または、０より小さい値であってもよい。該第９の値は、上位層のパラメータに基づいて、０と０より小さい値のセットの中から選択されてもよい。パラメータΔｘはＰＵＣＣＨフォーマットＸに連続マッピングが適用されて送信される場合に所定の値（例えば、０）であってもよい。該所定の値は、該第９の値より大きい値、または、該第９の値と同じ値であってもよい。
【０１４６】
パラメータΔｘはＰＵＣＣＨフォーマットＹに櫛形マッピングが適用されて送信される場合に第１０の値であってもよい。該第１０の値は、０、または、０より小さい値であってもよい。該第１０の値は、上位層のパラメータに基づいて、０と０より小さい値のセットの中か選択されてもよい。パラメータΔｘはＰＵＣＣＨフォーマットＹに連続マッピングが適用されて送信される場合に所定の値（例えば、０）であってもよい。該所定の値は、該第１０の値より大きい値、または、該第１０の値と同じ値であってもよい。
【０１４７】
図１７は、本実施形態の一態様に係るパラメータΔｘの設定例を示す図である。図１７（ａ）は、パラメータΔｘの設定例を示す図である。図１７（ａ）に示されるように、ＰＵＣＣＨフォーマットＸの送信に対して櫛形マッピングが設定される場合に、パラメータΔｘは該第９の値であってもよい。また、ＰＵＣＣＨフォーマットＸの送信に対して連続マッピングが設定される場合に、パラメータΔｘは該所定の値であってもよい。また、ＰＵＣＣＨフォーマットＹの送信に対して櫛形マッピングが設定される場合に、パラメータΔｘは該第１０の値であってもよい。また、ＰＵＣＣＨフォーマットＹの送信に対して連続マッピングが設定される場合に、パラメータΔｘは該所定の値であってもよい。
【０１４８】
ここで、いずれのＰＵＣＣＨフォーマットが送信されるかは、第１７の上位層のパラメータに少なくとも基づき与えられてもよい。また、ＰＵＣＣＨフォーマットの送信に対して連続マッピングが適用されるか櫛形マッピングが適用されるかは、第１８の上位層のパラメータに少なくとも基づき与えられてもよい。また、パラメータΔｘのための第９の値は、第１９の上位層のパラメータに少なくとも基づき与えられてもよい。また、第１０の値は、第２０の上位層のパラメータに少なくとも基づき与えられてもよい。
【０１４９】
パラメータΔｘはＰＵＣＣＨフォーマットＸに連続マッピングが適用されて送信される場合に第１１の値であってもよい。該第１１の値は、０、または、０より大きい値であってもよい。該第１１の値は、上位層のパラメータに基づいて、０と０より大きい値のセットの中から選択されてもよい。パラメータΔｘはＰＵＣＣＨフォーマットＸに櫛形マッピ
ングが適用されて送信される場合に所定の値（例えば、０）であってもよい。該所定の値は、該第１１の値より小さい値、または、該第１１の値と同じ値であってもよい。
【０１５０】
パラメータΔｘはＰＵＣＣＨフォーマットＹに連続マッピングが適用されて送信される場合に第１２の値であってもよい。該第１２の値は、０、または、０より大きい値であってもよい。該第１１の値は、上位層のパラメータに基づいて、０と０より大きい値のセットの中から選択されてもよい。パラメータΔｘはＰＵＣＣＨフォーマットＹに周波数ホッピングが適用されて送信される場合に所定の値（例えば、０）であってもよい。該所定の値は、該第１２の値より小さい値、または、該第１２の値と同じ値であってもよい。
【０１５１】
図１７（ｂ）は、パラメータΔｘの設定例を示す図である。図１７（ｂ）に示されるように、ＰＵＣＣＨフォーマットＸの送信に対して櫛形マッピングが適用される場合に、パラメータΔｘは該所定の値であってもよい。また、ＰＵＣＣＨフォーマットＸの送信に対して連続マッピングが適用される場合に、パラメータΔｘは該第１１の値であってもよい。また、ＰＵＣＣＨフォーマットＹの送信に対して櫛形マッピングが適用される場合に、パラメータΔｘは該所定の値であってもよい。また、ＰＵＣＣＨフォーマットＹの送信に対して連続マッピングが適用される場合に、パラメータΔｘは該第１２の値であってもよい。
【０１５２】
ここで、いずれのＰＵＣＣＨフォーマットが送信されるかは、第２１の上位層のパラメータに少なくとも基づき与えられてもよい。また、ＰＵＣＣＨフォーマットの送信に対して連続マッピングが適用されるか櫛形マッピングが適用されるかは、第２２の上位層のパラメータに少なくとも基づき与えられてもよい。また、パラメータΔｘのための第１１の値は、第２３の上位層のパラメータに少なくとも基づき与えられてもよい。また、第１２の値は、第２４の上位層のパラメータに少なくとも基づき与えられてもよい。
【０１５３】
パラメータΔｘは、ＰＵＣＣＨフォーマットに適用される周波数ホッピングがスロット内ホッピングかスロット間ホッピングかに少なくとも基づき与えられてもよい。
【０１５４】
ＰＵＣＣＨフォーマットに周波数ホッピングが適用されるか否かは、該ＰＵＣＣＨフォーマットの種類、該ＰＵＣＣＨフォーマットに含まれるＯＦＤＭシンボルの数、該ＰＵＣＣＨフォーマットが送信されるサービングセルの周波数帯域幅、該ＰＵＣＣＨフォーマットが送信されるＢＷＰの周波数帯域幅、該ＰＵＣＣＨフォーマットが送信されるＢＷＰのインデックス、および、該ＰＵＣＣＨフォーマットの送信のトリガに少なくとも用いられる下りリンクグラントの一部または全部に少なくとも基づき与えられてもよい。
【０１５５】
ＰＵＣＣＨフォーマットに連続的リソース割り当てが適用されるか分散的リソース割り当てが適用されるかは、該ＰＵＣＣＨフォーマットの種類、該ＰＵＣＣＨフォーマットに含まれるＯＦＤＭシンボルの数、該ＰＵＣＣＨフォーマットが送信されるサービングセルの周波数帯域幅、該ＰＵＣＣＨフォーマットが送信されるＢＷＰの周波数帯域幅、該ＰＵＣＣＨフォーマットが送信されるＢＷＰのインデックス、および、該ＰＵＣＣＨフォーマットの送信のトリガに少なくとも用いられる下りリンクグラントの一部または全部に少なくとも基づき与えられてもよい。
【０１５６】
ＰＵＣＣＨフォーマットに連続マッピングが適用されるか櫛形マッピングが適用されるかは、該ＰＵＣＣＨフォーマットの種類、該ＰＵＣＣＨフォーマットに含まれるＯＦＤＭシンボルの数、該ＰＵＣＣＨフォーマットが送信されるサービングセルの周波数帯域幅、該ＰＵＣＣＨフォーマットが送信されるＢＷＰの周波数帯域幅、該ＰＵＣＣＨフォーマットが送信されるＢＷＰのインデックス、および、該ＰＵＣＣＨフォーマットの送信のトリガに少なくとも用いられる下りリンクグラントの一部または全部に少なくとも基づき与え
られてもよい。
【０１５７】
ＰＵＣＣＨフォーマットＸの送信に対して、Δｘの値は、ＤＭＲＳがマップされるＯＦＤＭシンボルの数ＮＸ＿ＤＭＲＳに少なくとも基づき与えられてもよい。該ＤＭＲＳは、該ＰＵＣＣＨに関連するＤＭＲＳであってもよい。
【０１５８】
ＰＵＣＣＨフォーマットＸの送信に対して周波数ホッピングが適用される場合、Δｘの値は、第１の周波数単位に含まれるＤＭＲＳがマップされるＯＦＤＭシンボルの数ＮＸ＿ＤＭＲＳ，１と第２の周波数単位に含まれるＤＭＲＳがマップされるＯＦＤＭシンボルの数ＮＸ＿ＤＭＲＳ，２の差ＮＸ＿ｄｉｆｆ＿ＤＭＲＳ＝ＮＸ＿ＤＭＲＳ，１−ＮＸ＿ＤＭＲＳ，２に少なくとも基づき与えられてもよい。該ＤＭＲＳは、該ＰＵＣＣＨに関連するＤＭＲＳであってもよい。ＰＵＣＣＨフォーマットＸの送信に対して周波数ホッピングが適用される場合、ＮＸ＿ｄｉｆｆ＿ＤＭＲＳが０である場合のΔｘの値は、ＮＸ＿ｄｉｆｆ＿ＤＭＲＳが０ではない場合のΔｘの値と異なってもよい。Δｘの値は、ＮＸ＿ｄｉｆｆ＿ＤＭＲＳの値に対して個別に、上位層のパラメータより与えられてもよい。Δｘの値は、ＮＸ＿ｄｉｆｆ＿ＤＭＲＳが０であるか否かに少なくとも基づき与えられてもよい。ＮＸ＿ｄｉｆｆ＿ＤＭＲＳは、ＰＵＣＣＨフォーマットＸに含まれる該ＤＭＲＳがマップされるＯＦＤＭシンボルの数に少なくとも基づき与えられてもよい。
【０１５９】
ＰＵＣＣＨフォーマットＹの送信に対して、Δｘの値は、ＤＭＲＳがマップされるＯＦＤＭシンボルの数ＮＹ＿ＤＭＲＳに少なくとも基づき与えられてもよい。該ＤＭＲＳは、該ＰＵＣＣＨに関連するＤＭＲＳであってもよい。
【０１６０】
ＰＵＣＣＨフォーマットＹの送信に対して周波数ホッピングが適用される場合、Δｘの値は、第１の周波数単位に含まれるＤＭＲＳがマップされるＯＦＤＭシンボルの数ＮＹ＿ＤＭＲＳ，１と第２の周波数単位に含まれるＤＭＲＳがマップされるＯＦＤＭシンボルの数ＮＹ＿ＤＭＲＳ，２の差ＮＹ＿ｄｉｆｆ＿ＤＭＲＳ＝ＮＹ＿ＤＭＲＳ，１−ＮＹ＿ＤＭＲＳ，２に少なくとも基づき与えられてもよい。該ＤＭＲＳは、該ＰＵＣＣＨに関連するＤＭＲＳであってもよい。ＰＵＣＣＨフォーマットＹの送信に対して周波数ホッピングが適用される場合、ＮＹ＿ｄｉｆｆ＿ＤＭＲＳが０である場合のΔｘの値は、ＮＹ＿ｄｉｆｆ＿ＤＭＲＳが０ではない場合のΔｘの値と異なってもよい。Δｘの値は、ＮＹ＿ｄｉｆｆ＿ＤＭＲＳの値に対して個別に、上位層のパラメータより与えられてもよい。Δｘの値は、ＮＹ＿ｄｉｆｆ＿ＤＭＲＳが０であるか否かに少なくとも基づき与えられてもよい。ＮＹ＿ｄｉｆｆ＿ＤＭＲＳは、ＰＵＣＣＨフォーマットＹに含まれる該ＤＭＲＳがマップされるＯＦＤＭシンボルの数に少なくとも基づき与えられてもよい。
【０１６１】
ＰＵＣＣＨフォーマットＸの送信に対して、Δｘの値は、ＰＵＣＣＨがマップされるＯＦＤＭシンボルの数ＮＸ＿ＰＵＣＣＨに少なくとも基づき与えられてもよい。
【０１６２】
ＰＵＣＣＨフォーマットＸの送信に対して周波数ホッピングが適用される場合、Δｘの値は、第１の周波数単位に含まれるＰＵＣＣＨがマップされるＯＦＤＭシンボルの数ＮＸ＿ＰＵＣＣＨ，１と第２の周波数単位に含まれるＰＵＣＣＨがマップされるＯＦＤＭシンボルの数ＮＸ＿ＰＵＣＣＨ，２の差ＮＸ＿ｄｉｆｆ＿ＰＵＣＣＨ＝ＮＸ＿ＰＵＣＣＨ，１−ＮＸ＿ＰＵＣＣＨ，２に少なくとも基づき与えられてもよい。ＰＵＣＣＨフォーマットＸの送信に対して周波数ホッピングが適用される場合、ＮＸ＿ｄｉｆｆ＿ＰＵＣＣＨが０である場合のΔｘの値は、ＮＸ＿ｄｉｆｆ＿ＰＵＣＣＨが０ではない場合のΔｘの値と異なってもよい。Δｘの値は、ＮＸ＿ｄｉｆｆ＿ＰＵＣＣＨの値に対して個別に、上位層のパラメータより与えられてもよい。Δｘの値は、ＮＸ＿ｄｉｆｆ＿ＰＵＣＣＨが０であるか否かに少なくとも基づき与えられてもよい。ＮＸ＿ｄｉｆｆ＿ＰＵＣＣＨは、ＰＵＣＣＨフォーマットＸに含まれるＰＵＣＣＨがマップされるＯＦＤＭシンボルの数に少なくと
も基づき与えられてもよい。
【０１６３】
ＰＵＣＣＨフォーマットＹの送信に対して、Δｘの値は、ＰＵＣＣＨがマップされるＯＦＤＭシンボルの数ＮＹ＿ＰＵＣＣＨに少なくとも基づき与えられてもよい。
【０１６４】
ＰＵＣＣＨフォーマットＹの送信に対して周波数ホッピングが適用される場合、Δｘの値は、第１の周波数単位に含まれるＰＵＣＣＨがマップされるＯＦＤＭシンボルの数ＮＹ＿ＰＵＣＣＨ，１と第２の周波数単位に含まれるＰＵＣＣＨがマップされるＯＦＤＭシンボルの数ＮＹ＿ＰＵＣＣＨ，２の差ＮＹ＿ｄｉｆｆ＿ＰＵＣＣＨ＝ＮＹ＿ＰＵＣＣＨ，１−ＮＹ＿ＰＵＣＣＨ，２に少なくとも基づき与えられてもよい。ＰＵＣＣＨフォーマットＹの送信に対して周波数ホッピングが適用される場合、ＮＹ＿ｄｉｆｆ＿ＰＵＣＣＨが０である場合のΔｘの値は、ＮＹ＿ｄｉｆｆ＿ＰＵＣＣＨが０ではない場合のΔｘの値と異なってもよい。Δｘの値は、ＮＹ＿ｄｉｆｆ＿ＰＵＣＣＨの値に対して個別に、上位層のパラメータより与えられてもよい。Δｘの値は、ＮＹ＿ｄｉｆｆ＿ＰＵＣＣＨが０であるか否かに少なくとも基づき与えられてもよい。ＮＹ＿ｄｉｆｆ＿ＰＵＣＣＨは、ＰＵＣＣＨフォーマットＹに含まれるＰＵＣＣＨがマップされるＯＦＤＭシンボルの数に少なくとも基づき与えられてもよい。
【０１６５】
ＰＵＣＣＨフォーマットＸの送信に対して、Δｘの値は、ＰＵＣＣＨ、および、該ＰＵＣＣＨに関連するＤＭＲＳがマップされるＯＦＤＭシンボルの数ＮＸ＿ＰＵＣＣＨ＿ＤＭＲＳに少なくとも基づき与えられてもよい。
【０１６６】
ＰＵＣＣＨフォーマットＸの送信に対して周波数ホッピングが適用される場合、Δｘの値は、第１の周波数単位に含まれるＰＵＣＣＨ、および、ＤＭＲＳがマップされるＯＦＤＭシンボルの数ＮＸ＿ＰＵＣＣＨ＿ＤＭＲＳ，１と第２の周波数単位に含まれるＰＵＣＣＨ、および、ＤＭＲＳがマップされるＯＦＤＭシンボルの数ＮＸ＿ＰＵＣＣＨ＿ＤＭＲＳ，２の差ＮＸ＿ｄｉｆｆ＿ＰＵＣＣＨ＿ＤＭＲＳ＝ＮＸ＿ＰＵＣＣＨ＿ＤＭＲＳ，１−ＮＸ＿ＰＵＣＣＨ＿ＤＭＲＳ，２に少なくとも基づき与えられてもよい。該ＤＭＲＳは、該ＰＵＣＣＨに関連するＤＭＲＳであってもよい。ＰＵＣＣＨフォーマットＸの送信に対して周波数ホッピングが適用される場合、ＮＸ＿ｄｉｆｆ＿ＰＵＣＣＨ＿ＤＭＲＳが０である場合のΔｘの値は、ＮＸ＿ｄｉｆｆ＿ＰＵＣＣＨ＿ＤＭＲＳが０ではない場合のΔｘの値と異なってもよい。Δｘの値は、ＮＸ＿ｄｉｆｆ＿ＰＵＣＣＨ＿ＤＭＲＳの値に対して個別に、上位層のパラメータより与えられてもよい。Δｘの値は、ＮＸ＿ｄｉｆｆ＿ＰＵＣＣＨ＿ＤＭＲＳが０であるか否かに少なくとも基づき与えられてもよい。ＮＸ＿ｄｉｆｆ＿ＰＵＣＣＨ＿ＤＭＲＳは、ＰＵＣＣＨフォーマットＸに含まれるＰＵＣＣＨ、および、ＤＭＲＳがマップされるＯＦＤＭシンボルの数に少なくとも基づき与えられてもよい。
【０１６７】
ＰＵＣＣＨフォーマットＹの送信に対して、Δｘの値は、ＰＵＣＣＨ、および、該ＰＵＣＣＨに関連するＤＭＲＳがマップされるＯＦＤＭシンボルの数ＮＹ＿ＰＵＣＣＨ＿ＤＭＲＳに少なくとも基づき与えられてもよい。
【０１６８】
ＰＵＣＣＨフォーマットＹの送信に対して周波数ホッピングが適用される場合、Δｘの値は、第１の周波数単位に含まれるＰＵＣＣＨ、および、ＤＭＲＳがマップされるＯＦＤＭシンボルの数ＮＹ＿ＰＵＣＣＨ＿ＤＭＲＳ，１と第２の周波数単位に含まれるＰＵＣＣＨ、および、ＤＭＲＳがマップされるＯＦＤＭシンボルの数ＮＹ＿ＰＵＣＣＨ＿ＤＭＲＳ，２の差ＮＹ＿ｄｉｆｆ＿ＰＵＣＣＨ＿ＤＭＲＳ＝ＮＹ＿ＰＵＣＣＨ＿ＤＭＲＳ，１−ＮＹ＿ＰＵＣＣＨ＿ＤＭＲＳ，２に少なくとも基づき与えられてもよい。ＰＵＣＣＨフォーマットＹの送信に対して周波数ホッピングが適用される場合、ＮＹ＿ｄｉｆｆ＿ＰＵＣＣＨ＿ＤＭＲＳが０である場合のΔｘの値は、ＮＹ＿ｄｉｆｆ＿ＰＵＣＣＨ＿ＤＭＲＳが０ではない場合のΔｘの値と異なってもよい。Δｘの値は、ＮＹ＿ｄｉｆｆ＿ＰＵＣＣＨ＿
ＤＭＲＳの値に対して個別に、上位層のパラメータより与えられてもよい。Δｘの値は、ＮＹ＿ｄｉｆｆ＿ＰＵＣＣＨ＿ＤＭＲＳが０であるか否かに少なくとも基づき与えられてもよい。ＮＹ＿ｄｉｆｆ＿ＰＵＣＣＨ＿ＤＭＲＳは、ＰＵＣＣＨフォーマットＹに含まれるＰＵＣＣＨ、および、ＤＭＲＳがマップされるＯＦＤＭシンボルの数に少なくとも基づき与えられてもよい。
【０１６９】
基地局装置３と端末装置１は、上位層（ｈｉｇｈｅｒ  ｌａｙｅｒ）において信号をやり取り（送受信）する。例えば、基地局装置３と端末装置１は、無線リソース制御（ＲＲＣ：  Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：  Ｒａｄｉｏ  Ｒｅｓｏｕｒｃｅ  Ｃｏｎｔｒｏｌ  ｍｅｓｓａｇｅ、ＲＲＣ  ｉｎｆｏｒｍａｔｉｏｎ：  Ｒａｄｉｏ  Ｒｅｓｏｕｒｃｅ  Ｃｏｎｔｒｏｌ  ｉｎｆｏｒｍａｔｉｏｎとも称される）を送受信してもよい。また、基地局装置３と端末装置１は、ＭＡＣ層において、ＭＡＣ  ＣＥ（Ｃｏｎｔｒｏｌ  Ｅｌｅｍｅｎｔ）を送受信してもよい。ここで、ＲＲＣシグナリング、および／または、ＭＡＣ  ＣＥは、上位層の信号（ｈｉｇｈｅｒ  ｌａｙｅｒ  ｓｉｇｎａｌｉｎｇ）とも呼称される。
【０１７０】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層のパラメータは、サービングセル内における複数の端末装置１に対して共通のシグナリング、または、ある端末装置１に対して専用のシグナリングを用いて送信されてもよい。ＵＥ固有な上位層のパラメータは、ある端末装置１に対して専用のシグナリングを用いて送信されてもよい。専用ＲＲＣシグナリングを含むＰＤＳＣＨは、第１の制御リソースセット内のＰＤＣＣＨによってスケジュールされてもよい。
【０１７１】
ＢＣＣＨ（Ｂｒｏａｄｃａｓｔ  Ｃｏｎｔｒｏｌ  ＣＨａｎｎｅｌ）、ＣＣＣＨ（Ｃｏｍｍｏｎ  Ｃｏｎｔｒｏｌ  ＣＨａｎｎｅｌ）、および、ＤＣＣＨ（Ｄｅｄｉｃａｔｅｄ
Ｃｏｎｔｒｏｌ  ＣＨａｎｎｅｌ）は、ロジカルチャネルである。例えば、ＢＣＣＨは、ＭＩＢを送信するために用いられる上位層のチャネルである。また、ＣＣＣＨ（Ｃｏｍｍｏｎ  Ｃｏｎｔｒｏｌ  Ｃｈａｎｎｅｌ）は、複数の端末装置１において共通な情報を送信するために用いられる上位層のチャネルである。ここで、ＣＣＣＨは、例えば、ＲＲＣ接続されていない端末装置１のために用いられる。また、ＤＣＣＨ（Ｄｅｄｉｃａｔｅｄ  Ｃｏｎｔｒｏｌ  Ｃｈａｎｎｅｌ）は、端末装置１に個別の制御情報（ｄｅｄｉｃａｔｅｄ  ｃｏｎｔｒｏｌ  ｉｎｆｏｒｍａｔｉｏｎ）を送信するために用いられる上位層のチャネルである。ここで、ＤＣＣＨは、例えば、ＲＲＣ接続されている端末装置１のために用いられる。
【０１７２】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【０１７３】
トランスポートチャネルにおけるＵＬ−ＳＣＨは、物理チャネルにおいてＰＵＳＣＨにマップされる。トランスポートチャネルにおけるＤＬ−ＳＣＨは、物理チャネルにおいてＰＤＳＣＨにマップされる。トランスポートチャネルにおけるＢＣＨは、物理チャネルにおいてＰＢＣＨにマップされる。
【０１７４】
以下、本実施形態の一態様に係る端末装置１の構成例を説明する。
【０１７５】
図１８は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Ｒａｄｉｏ  Ｆｒｅｑｕｅｎｃｙ）部１２、および、ベースバンド部１３の一部または全部を少なくとも含んで構成される。上位層処理部１４は、媒体アクセス制御層処理部１５、および、無線リソース制御層処理部１６の一部または全部を少なくとも含んで構成される。無線送受信部１０を送信部、受信部、または、物理層処理部とも称する。
【０１７６】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、ＲＲＣ層の処理を行なう。
【０１７７】
上位層処理部１４が備える媒体アクセス制御層処理部１５は、ＭＡＣ層の処理を行う。
【０１７８】
上位層処理部１４が備える無線リソース制御層処理部１６は、ＲＲＣ層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。該パラメータは上位層のパラメータであってもよい。
【０１７９】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化、ベースバンド信号生成（時間連続信号への変換）することによって送信信号を生成し、基地局装置３に送信する。
【０１８０】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【０１８１】
ベースバンド部１３は、ＲＦ部１２から入力されたアナログ信号をディジタル信号に変換する。ベースバンド部１３は、変換したディジタル信号からＣＰ（Ｃｙｃｌｉｃ  Ｐｒｅｆｉｘ）に相当する部分を除去し、ＣＰを除去した信号に対して高速フーリエ変換（ＦＦＴ：Ｆａｓｔ  Ｆｏｕｒｉｅｒ  Ｔｒａｎｓｆｏｒｍ）を行い、周波数領域の信号を抽出する。
【０１８２】
ベースバンド部１３は、データを逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）して、ＯＦＤＭシンボルを生成し、生成されたＯＦＤＭシンボルにＣＰを付加し、ベースバンドのディジタル信号を生成し、ベースバンドのディジタル信号をアナログ信号に変換する。ベースバンド部１３は、変換した
アナログ信号をＲＦ部１２に出力する。
【０１８３】
ＲＦ部１２は、ローパスフィルタを用いてベースバンド部１３から入力されたアナログ信号から余分な周波数成分を除去し、アナログ信号を搬送波周波数にアップコンバート（ｕｐ  ｃｏｎｖｅｒｔ）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１８４】
以下、本実施形態の一態様に係る基地局装置３の構成例を説明する。
【０１８５】
図１９は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１８６】
上位層処理部３４は、ＭＡＣ層、ＰＤＣＰ層、ＲＬＣ層、ＲＲＣ層の処理を行なう。
【０１８７】
上位層処理部３４が備える媒体アクセス制御層処理部３５は、ＭＡＣ層の処理を行う。
【０１８８】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１８９】
無線送受信部３０の機能は、無線送受信部１０と同様であるため説明を省略する。
【０１９０】
端末装置１が備える符号１０から符号１６が付された部のそれぞれは、回路として構成されてもよい。基地局装置３が備える符号３０から符号３６が付された部のそれぞれは、回路として構成されてもよい。
【０１９１】
以下、本実施形態の一態様に係る種々の装置の態様を説明する。
【０１９２】
（１）上記の目的を達成するために、本発明の態様は、以下のような手段を講じた。すなわち、本発明の第１の態様は、端末装置であって、第１のＲＲＣシグナリングを受信する受信部と、ＰＵＣＣＨの送信電力を決定する制御部と、上りリンク制御情報を前記ＰＵＣＣＨで送信する送信部と、を備え、前記第１のＲＲＣシグナリングは、前記ＰＵＣＣＨに周波数ホッピングが適用されるか否かを示す情報を含み、前記ＰＵＣＣＨの前記送信電力は、パラメータΔｘに少なくとも基づき与えられ、前記パラメータΔｘは、前記ＰＵＣＣＨに周波数ホッピングが適用されるか否かに少なくとも基づき与えられる。
【０１９３】
（２）また、本発明の第１の態様において、前記パラメータΔｘは、さらに、前記ＰＵＣＣＨのＰＵＣＣＨフォーマットＦに少なくとも基づいて与えられ、前記ＰＵＣＣＨフォーマットＦは、２ビット以下の前記上りリンク制御情報を送信するために用いられる第１のＰＵＣＣＨフォーマットと、３ビット以上の前記上りリンク制御情報を送信するために
用いられる第２のＰＵＣＣＨフォーマットとを少なくとも含む。
【０１９４】
（３）また、本発明の第１の態様において、前記ＰＵＣＣＨに周波数ホッピングが適用される場合、前記パラメータΔｘは、第２のＲＲＣシグナリングに少なくとも基づき与えられ、前記ＰＵＣＣＨに周波数ホッピングが適用されない場合、前記パラメータΔｘは０である。
【０１９５】
（４）また、本発明の第１の態様において、前記ＰＵＣＣＨに周波数ホッピングが適用される場合、前記パラメータΔｘは０であり、前記ＰＵＣＣＨに周波数ホッピングが適用されない場合、前記パラメータΔｘは、第２のＲＲＣシグナリングに少なくとも基づき与えられる。
【０１９６】
（５）また、本発明の第２の態様は、基地局装置であって、第１のＲＲＣシグナリングを送信する送信部と、ＰＵＣＣＨで送信される上りリンク制御情報を受信する受信部と、を備え、前記第１のＲＲＣシグナリングは、前記ＰＵＣＣＨに周波数ホッピングが適用されるか否かを示す情報を含み、前記ＰＵＣＣＨの前記送信電力は、パラメータΔｘに少なくとも基づき与えられ、前記パラメータΔｘは、前記ＰＵＣＣＨに周波数ホッピングが適用されるか否かに少なくとも基づき与えられる。
【０１９７】
（６）また、本発明の第２の態様において、前記パラメータΔｘは、さらに、前記ＰＵＣＣＨのＰＵＣＣＨフォーマットＦに少なくとも基づいて与えられ、前記ＰＵＣＣＨフォーマットＦは、２ビット以下の前記上りリンク制御情報を送信するために用いられる第１のＰＵＣＣＨフォーマットと、３ビット以上の前記上りリンク制御情報を送信するために用いられる第２のＰＵＣＣＨフォーマットとを少なくとも含む。
【０１９８】
（７）また、本発明の第２の態様において、前記ＰＵＣＣＨに周波数ホッピングが適用される場合、前記パラメータΔｘは、第２のＲＲＣシグナリングに少なくとも基づき与えられ、前記ＰＵＣＣＨに周波数ホッピングが適用されない場合、前記パラメータΔｘは０である。
【０１９９】
（８）また、本発明の第２の態様において、前記ＰＵＣＣＨに周波数ホッピングが適用される場合、前記パラメータΔｘは０であり、前記ＰＵＣＣＨに周波数ホッピングが適用されない場合、前記パラメータΔｘは、第２のＲＲＣシグナリングに少なくとも基づき与えられる。
【０２００】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０２０１】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２０２】
尚、ここでいう「コンピュータシステム」とは、端末装置１、又は基地局装置３に内蔵されたコンピュータシステムであって、ＯＳや周辺機器等のハードウェアを含むものとす
る。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２０３】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２０４】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２０５】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２０６】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２０７】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２０８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２０９】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
【図１】
2019062442.tif 000005
【図２】
2019062442.tif 000006
【図３】
2019062442.tif 000007
【図４】
2019062442.tif 000008
【図５】
2019062442.tif 000009
【図６】
2019062442.tif 000010
【図７】
2019062442.tif 000011
【図８】
2019062442.tif 000012
【図９】
2019062442.tif 000013
【図１０】
2019062442.tif 000014
【図１１】
2019062442.tif 000015
【図１２】
2019062442.tif 000016
【図１３】
2019062442.tif 000017
【図１４】
2019062442.tif 000018
【図１５】
2019062442.tif 000019
【図１６】
2019062442.tif 000020
【図１７】
2019062442.tif 000021
【図１８】
2019062442.tif 000022
【図１９】
2019062442.tif 000023